(57)【要約】  近赤外線吸収染料とラテックスを含む近赤外線吸収層の塗布液を支持体上に塗布し、加熱乾燥することにより８００〜１０００ｎｍの近赤外線を６０％以上吸収する近赤外線吸収層を形成することを特徴とする近赤外線吸収材料の製造方法。【特許請求の範囲】
【請求項１】
近赤外線吸収染料とラテックスを含む近赤外線吸収層の塗布液を支持体上に塗布し、加熱乾燥することにより８００〜１０００ｎｍの近赤外線を６０％以上吸収する近赤外線吸収層を形成することを特徴とする近赤外線吸収材料の製造方法。
【請求項２】
前記近赤外線吸収層が８００〜１０００ｎｍの近赤外線を８０％以上吸収することを特徴とする請求の範囲第１項に記載の近赤外線吸収材料の製造方法。
【請求項３】
前記ラテックスがアクリル樹脂、スチレン樹脂、ウレタン樹脂、ビニル樹脂から選ばれる少なくとも１種であることを特徴とする請求の範囲第１または２項に記載の近赤外線吸収材料の製造方法。
【請求項４】
前記近赤外線吸収層の塗布液は、その溶媒の３０質量％以上が水であり、含まれる全バインダーの３０質量％以上がラテックスであり、かつ全バインダーの２５℃相対湿度５５％での平衡含水率が３質量％以下であることを特徴とする請求の範囲第１〜３項のいずれか１項に記載の近赤外線吸収材料の製造方法。
【請求項５】
前記近赤外線吸収層の塗布液は、その溶媒の３０質量％以上が水であり、含まれる全バインダーの６０質量％以上がラテックスであり、かつ全バインダーの２５℃相対湿度５５％での平衡含水率が１質量％以下であることを特徴とする請求の範囲第１〜３項のいずれか１項に記載の近赤外線吸収材料の製造方法。
【請求項６】
近赤外線吸収染料がジイモニウム化合物、ニッケルジチオール化合物、フタロシアニン系化合物、スクワリウム化合物から選ばれる少なくとも１種であることを特徴とする請求の範囲第１〜５項のいずれか１項に記載の近赤外線吸収材料の製造方法。
【請求項７】
近赤外線吸収染料がスクワリウム化合物であることを特徴とする請求の範囲第６項に記載の近赤外線吸収材料の製造方法。
【請求項８】
請求の範囲第１〜７項のいずれか１項に記載の近赤外線吸収材料の製造方法により製造されたことを特徴とする近赤外線吸収材料。
【請求項９】
前記近赤外線吸収材料が少なくとも２層の構成層を有し、かつ該構成層のいずれか１層が紫外線吸収剤を含む層であることを特徴とする請求の範囲第８項に記載の近赤外線吸収材料。
【請求項１０】
前記構成層の最下層が金属酸化物を含む帯電防止層であり、かつ表面抵抗が１０6〜１０12Ω／□であることを特徴とする請求の範囲第９項に記載の近赤外線吸収材料。
【請求項１１】
支持体に対して近赤外線吸収層のある側の反対側に少なくとも反射防止膜、高硬度（ハードコート）膜、粘着膜、電磁波吸収膜から選ばれる少なくとも１種の機能性膜があることを特徴とする請求の範囲第８〜１０項のいずれか１項に記載の近赤外線吸収材料。
【発明の詳細な説明】
【技術分野】
【０００１】
本発明は、プラズマディスプレイパネル（ＰＤＰ）の前面に使用する近赤外線吸収性且つ可視光透過性を有する近赤外線吸収材料の製造方法に関する。
【背景技術】
【０００２】
プラズマ表示パネル（ＰＤＰ）は、希ガスをプラズマ状態にして紫外線を放射させこの光線で蛍光体を発光させるが、このとき近赤外線も放射されるので、リモコン等の操作素子の誤作動を防ぐ必要があり、８００〜１０００ｎｍの近赤外線放出の遮蔽に関する要求が高まっている。近赤外線は周辺に害を及ぼすものであり、周辺機器ごとに違いがあるが、家電用のテレビやクーラー等のリモコン、その他業務用等の特殊なリモコン、および通信用とプラズマディスプレイがそれぞれ発する波長が同波長である。したがって、プラズマディスプレイが設置されている周辺の機器が、このプラズマディスプレイの発する波長により、誤動作を生じる原因となる。この要求に対して、ＰＤＰの前面硝子に近赤外線吸収フィルムを貼る方式は、簡便でコスト面でも有利であることからこの方式が主流となっている。【０００３】
しかし、ＰＤＰの発熱や紫外線のために、近赤外線吸収フィルムの劣化が課題で、耐熱性のある近赤外線吸収染料の開発や吸収効率のよい紫外線吸収剤の併用等工夫がされているが満足な性能になっていない。近赤外線吸収染料の劣化は、水分の影響が大きいので水の影響を受けないように非水系で塗布する方法（例えば、特許文献１参照。）もあるが残留有機溶媒の影響を受ける欠点があり、無溶媒の疎水性樹脂の重合時に染料を存在させて、モノマーと重合開始剤から形成されたものを成型して使用する方法（例えば、特許文献２参照。）があるが、塗布方式でないので生産性が劣る。水系溶媒に染料を微粒子固体分散する方法（例えば、特許文献３参照。）が提案されている。しかし、この方法は水分の影響を少なからず受けて保存性が劣る。高速薄膜塗布で高生産性に有利なゼラチン分散水系塗布（例えば、特許文献４参照。）は、ゼラチンという素材がもつ保水性のために、近赤外線吸収染料の高温高湿保存の劣化が避けられないのが現状である。【０００４】
上記のように、分散性のよいゼラチン中に近赤外線吸収染料を分散して塗布する水系塗布は高い生産性が得られる反面、保存性に弱いとう欠点を有したのである。非水系として有機溶媒に溶解する樹脂に分散して塗布する方式は、有機溶媒の揮発物の作業衛生上や製造後に揮発する有機溶媒による劣化変動がある。
【特許文献１】特開平１０−１８６１２７号公報  （段落番号００５９）
【特許文献２】特開平１１−１０９１２６号公報  （段落番号００４２〜００４３）
【特許文献３】特開平１１−１０９５６０号公報  （段落番号０１０５）
【特許文献４】特開平１０−３３３２９５号公報  （段落番号００７１〜０１３１）
【発明の開示】
【０００５】
本発明の目的は、高い近赤外線吸収性能を得て、生産性も高く保存性もよい近赤外線吸収材料の製造方法を提供することにある。
【０００６】
本発明の上記目的を達成するための、本発明の態様の一つは、近赤外線吸収染料とラテックスを含む近赤外線吸収層の塗布液を支持体上に塗布し、加熱乾燥することにより８００〜１０００ｎｍの近赤外線を６０％以上吸収する近赤外線吸収層を形成することを特徴とする近赤外線吸収材料の製造方法にある。
【発明を実施するための最良の形態】
【０００７】
本発明の上記目的は、以下の構成により達成することができる。
（１）  近赤外線吸収染料とラテックスを含む近赤外線吸収層の塗布液を支持体上に塗布し、加熱乾燥することにより８００〜１０００ｎｍの近赤外線を６０％以上吸収する近赤外線吸収層を形成することを特徴とする近赤外線吸収材料の製造方法。
（２）前記近赤外線吸収層が８００〜１０００ｎｍの近赤外線を８０％以上吸収することを特徴とする前記（１）に記載の近赤外線吸収材料の製造方法。
（３）  前記ラテックスがアクリル樹脂、スチレン樹脂、ウレタン樹脂、ビニル樹脂から選ばれる少なくとも１種であることを特徴とする前記（１）または（２）に記載の近赤外線吸収材料の製造方法。
（４）  前記近赤外線吸収層の塗布液は、その溶媒の３０質量％以上が水であり、含まれる全バインダーの３０質量％以上がラテックスであり、かつ全バインダーの２５℃相対湿度５５％での平衡含水率が３質量％以下であることを特徴とする前記（１）〜（３）のいずれか１項に記載の近赤外線吸収材料の製造方法。
（５）  前記近赤外線吸収層の塗布液は、その溶媒の３０質量％以上が水であり、含まれる全バインダーの６０質量％以上がラテックスであり、かつ全バインダーの２５℃相対湿度５５％での平衡含水率が１質量％以下であることを特徴とする前記（１）〜（３）のいずれか１項に記載の近赤外線吸収材料の製造方法。
（６）  近赤外線吸収染料がジイモニウム化合物、ニッケルジチオール化合物、フタロシアニン系化合物、スクワリウム化合物から選ばれる少なくとも１種であることを特徴とする前記（１）〜（５）のいずれか１項に記載の近赤外線吸収材料の製造方法。
（７）  近赤外線吸収染料がスクワリウム化合物であることを特徴とする請求の前記（６）に記載の近赤外線吸収材料の製造方法。
（８）  前記（１）〜（７）のいずれか１項に記載の近赤外線吸収材料の製造方法により製造されたことを特徴とする近赤外線吸収材料。
（９）  前記近赤外線吸収材料が少なくとも２層の構成層を有し、かつ該構成層のいずれか１層が紫外線吸収剤を含む層であることを特徴とする前記（８）に記載の近赤外線吸収材料。
（１０）  前記構成層の最下層が金属酸化物を含む帯電防止層であり、かつ表面抵抗が１０6〜１０12Ω／□であることを特徴とする前記（９）に記載の近赤外線吸収材料。
（１１）  支持体に対して近赤外線吸収層のある側の反対側に少なくとも反射防止膜、高硬度（ハードコート）膜、粘着膜、電磁波吸収膜から選ばれる少なくとも１種の機能性膜があることを特徴とする前記（８）〜（１０）のいずれか１項に記載の近赤外線吸収材料。【０００８】
本発明により、高い近赤外線吸収性能を得て、生産性も高く保存性もよい近赤外線吸収材料の製造方法を提供することができた。【０００９】
本発明を更に詳しく説明する。まず、本発明の近赤外線吸収材料の製造方法について説明する。【００１０】
本発明に用いられる近赤外線吸収材料の近赤外線吸収層は、近赤外線吸収染料とラテックスを含む近赤外線吸収層の塗布液を支持体上に塗布し加熱乾燥によって皮膜を形成したものである。本発明の近赤外線吸収層は８００〜１０００ｎｍの近赤外線を６０％以上吸収することが好ましい。なお、「８００〜１０００ｎｍの近赤外線を６０％以上吸収する」とは、光のスペクトル中で波長８００〜１０００ｎｍの近赤外線の積分光量の６０％以上を吸収することを表す。本発明の近赤外線吸収層は８００〜１０００ｎｍの近赤外線を８０％以上吸収することがより好ましい。この吸収率が６０％未満であると、家電製品等に用いられる汎用リモートコントロールシステムに誤動作が発生しやすい。乾燥温度は、通常、室温から約１００℃の間であり、この範囲の温度で乾燥が行われる。本発明のラテックスは水媒体中に安定して分散される樹脂である。ラテックスとはゴムの樹などから採取される白色乳状の樹液をさしていたが、乳化重合物の出現以来、合成高分子の水分散体も含めて「水性媒体の中に高分子物質が安定して分散しているもの」をラテックスと呼ぶようになったのでこの呼称が使用されている。水分散性樹脂としては、例えば、ポリ塩化ビニリデン、塩化ビニリデン−アクリル酸共重合体、塩化ビニリデン−イタコン酸共重合体、ポリアクリル酸ナトリウム、ポリエチレンオキシド、アクリル酸アミド−アクリル酸エステル共重合体、スチレン−無水マレイン酸共重合体、アクリロニトリル−ブタジエン共重合体、塩化ビニル−酢酸ビニル共重合体、場合によってはアクリル酸、メタアクリル酸、イタコン酸及びマレイン酸等のカルボン酸基を含むモノマー或いは、ジメチルアクリルアミドプロパンスルホン酸、スチレンスルホン酸基等のスルホン酸基を持つモノマーを一つ又は複数組み合わせて少量使用したスチレン−ブタジエン系共重合体、スチレンーイソプレン系共重合体等が挙げられる。【００１１】
上記ラテックスは、水系塗布の結合剤として広く使用されているが、中でも、結合剤として耐水性を向上させるラテックス  が好ましい。結合剤として耐水性を得る目的のラテックス  の使用量は、塗布性を勘案して決められるが耐湿性の点から使用量は多いほど好ましく、全結合剤質量に対して３０％以上１００％以下が好ましく、６０％以上１００％以下がより好ましい。このような樹脂を市場から入手することもできる。本発明で用いられるラテックスとしては、アクリル樹脂、スチレン樹脂、ウレタン樹脂、ビニル樹脂等が好ましい。【００１２】
例えば、スチレン樹脂としてはスチレン−ブタジエンコポリマーの業界統一品番で、＃１５００、＃１５０２、＃１５０７、＃１７１２、＃１７７８などの種々の銘柄の住友ＳＢＲラテックス（住友化学（株））やＪＳＲラテックス（日本合成ゴム（株））やＮｉｐｏｌラテックス（日本ゼオン（株））を用いることができる。【００１３】
スチレン−ブタジエンコポリマーは、スチレンとブタジエンの共重合比（質量）が１０／９０〜９０／１０、より好ましくは２０／８０〜６０／４０が好ましい。ハイスチレンラテックスと呼ばれる６０／４０〜９０／１０の比率のものは、スチレン含率の低い（１０／９０〜３０／７０）樹脂と混合して用いるのが、感光層の耐傷性、物理的強度を高める上で好ましい。混合比率は（質量）は、２０／８０〜８０／２０の範囲内が好ましい。【００１４】
ハイスチレンラテックスとしては、ＪＳＲ００５１や同００６１（以上、日本合成ゴム（株）の商品名）、およびＮｉｐｏｌ  ２００１，２０５７，２００７（日本ゼオン（株）の商品名）などの市販品が使える。またスチレン含率の低いラテックスとしては、上記のハイスチレンラテックスとして列挙した以外の常用のものが挙げられ、ＪＳＲ＃１５００、＃１５０２、＃１５０７、＃１７１２、＃１７７８等がある。【００１５】
また、アクリル樹脂として一般に知られるアクリル系ラテックス、例えばＮｉｐｏｌ  ＡＲ３１，ＡＲ３２、あるいはＨｙｃａｒ  ４０２１（いずれも日本ゼオン（株）の商品名）を用いることができる。【００１６】
前記したアクリル樹脂は、次のアクリレートモノマーを原料とする重合体又は共重合体を用いることもできる。なお、以下において、（メタ）アクリロイル基は、アクリロイル基又はメタアクリロイル基の意味で用いる。【００１７】
分子中に（メタ）アクリロイル基を１個有するモノマとしては、メチルメタクリレート、エチルメタクリレート、オクチルメタクリレート等の脂肪族アルコールのメタクリル酸エステル、メチルアクリレート、エチルアクリレート、ブチルアクリレート、オクチルアクリレート等の脂肪族アルコールのアクリル酸エステル、シクロヘキシルアクリレート、シクロヘキシルメチルアクリレート等の脂環式アルコールのアクリル酸エステル、シクロヘキシルメタクリレート、シクロヘキシルメチルメタクリレート等の脂環式アルコールのメタクリル酸エステル、フェニルアクリレート、４−プロモフェニルアクリレート、ベンジルアクリレート、ベンジルアクリレート等の芳香族基を含むアクリル酸エステル、フェニルメタクリレート、４−クロルフェニルメタクリレート、ベンジルメタクリレート等の芳香族基を含むメタクリル酸エステル、２−ヒドロキシエチルアクリレート、２−ヒドロキシエチルメタクリレート等のアクリル酸又はメタクリル酸のヒドロキシアルキルエステル等がある。【００１８】
分子中に（メタ）アクリロイル基を２個以上有するモノマとしては、エチレングリコールジアクリレート、プロピレングリコールジアクリレート、ジエチレングリコールジアクリレート、１，３−ジアクリロキシ−２−プロパノールポリエチレングリコールジアクリレート等のアクリル酸ジエステル、エチレングリコールジメタクリレート、プロピレングリコールジメタクリレート、ジエチレングリコールジメタクリレート、ポリエチレングリコールジメタクリレート、１，３−ジメタクリロキシ−２−プロパノール等のメタクリル酸ジエステル、グリセリントリアクリレート、トリメチロールプロパントリアクリレート等のアクリル酸トリエステル、グリセリントリメタクリレート、トリメチロールプロパントリメタクリレート等のメタクリル酸トリエステル等がある。【００１９】
スチレン樹脂としては、スチレンモノマーとして、メチルスチレン、エチルスチレン、プロピルスチレン、ブチルスチレン、ヘキシルスチレン、ヘプチルスチレン、オクチルスチレン、ジメチルスチレン、トリメチルスチレン、ジエチルスチレン、トリエチルスチレンなどのアルキルスチレンモノマー、フロロスチレン、クロロスチレン、ブロモスチレン、ヨードスチレン、ジブロモスチレンなどのハロゲン化スチレンモノマー、ニトロスチレンモノマー、アセチルスチレンモノマー、メトキシスチレンモノマー等を使用し、単独又は他のモノマーと共重合したものである。【００２０】
ビニル樹脂としては、モノマーとしてビニルピリジン、ビニルピロリドン、ビニルカルバゾール、酢酸ビニル、アクリロニトリル、塩化ビニル、臭化ビニル、塩化ビニリデン、臭化ビニリデンなどのハロゲン化ビニル又はビニリデン等を構成単位として含むものである。又構成単位として分子中に２つ以上のビニル基を有するモノマを含んでもよい。例えば、ジビニルベンゼン、ブタジエン、クロロプレンなどの共役ジエンモノマー、イソプレンアジピン酸ジビニル、ジビニルスルホン、トリエチレングリコールジビニルエーテル、１，４−シクロヘキサンジメタノールジビニルエーテル等が挙げられる。【００２１】
これらのモノマーは、前記したように乳化重合させることができる。この乳化重合に用いる水溶性重合開始剤としては、任意のものが選択できるが例示すると、２，２’−アゾビス（２−メチルプロピオンアミジン）二塩酸塩、４，４’−アゾビス（４−シアノ吉草酸）、２，２’−アゾビス［２−（２−イミダゾリン−２−イル）プロパン］二塩酸塩、２，２’−アゾビス［２−（５−メチル−２−イミダゾリン−２−イル）プロパン］二塩酸塩、２，２’−アゾビスイソブチルアミド二水和物等が挙げられる。水溶性重合開始剤の使用量は、全モノマーに対して０．００１〜０．５モル％が好ましい。【００２２】
また、前記の乳化重合に用いる分散剤は、系を安定化させるために適宜使用される。分散安定剤又は分散剤としては、ポリビニルアルコール、ポリビニルピロリドン、ポリアクリルアミド、ポリメタクリルアミド、ヒドロキシアルキルアクリレートポリマー、ヒドロキシアルキルメタクリレートポリマー、ポリアクリル酸又はその塩、ポリメタクリル酸又はその塩、エチレン−アクリル酸共重合体又はその塩、エチレン−メタクリル酸共重合体又はその塩、エチレン−マレイン酸共重合体又はその塩、スチレン−アクリル酸共重合体又はその塩、スチレン−メタクリル酸共重合体又はその塩、ポリエチレンイミン、ポリアルキレングリコール、ポリアルキレンオキシド、メチロール化ポリアミド、水溶性メラミン樹脂、水溶性フェノール樹脂、水溶性尿素樹脂、カゼイン、ゼラチン、カルボキシメチルセルローズ、メチルセルローズ、ヒドロキシアルキルセルローズ、カルボキシメチルデンプン、カチオン化デンプン、デキストリン、アルギン酸又はその塩、カラギーナン、ジェランガム、ローカストビーンガム、アラビアガム、トラガントガム、グルコマンナン、ザレップマンナン、グアーガム、植物粘液質等の単独または２種以上の混合物が用いられる。分散剤は、使用するモノマーの全量又は分散させる樹脂の全量に対して、０．０１〜２０質量％使用することが好ましい。【００２３】
さらに、前記の乳化重合に用いる界面活性剤としては、重合反応に悪影響を及ぼさないものであれば特に限定されず、アニオン界面活性剤、カチオン界面活性剤、両性イオン界面活性剤または非イオン界面活性剤のいずれでも使用できる。例えば、アルキルベンゼンスルホン酸ナトリウム、高級アルコール硫酸エステルナトリウム塩、高級α−オレフィンスルホン化物ナトリウム塩、高級脂肪酸塩、高級アルキルフェノールアルキレンオキシドスルホン酸ナトリウム、高級アルキルアミン塩、高級アルキルトリメチルアンモニウム塩、高級アルキルピリジニウム塩、高級アシルアミノメチルピリジニウム塩、高級アシロキシメチルピリジニウム塩、Ｎ，Ｎ−ジポリオキシエチレン−Ｎ−高級アルキルアミン塩、高級アルキルポリエチレンポリアミン塩、トリメチル高級アルキルアニリンサルフェート、トリメチル高級アルキルベンジルアンモニウム塩、高級アルコールエチレンオキシド付加物、高級アルキルフェノールエチレンオキシド付加物、高級脂肪酸エチレンオキシド付加物、高級アルキルアミンエチレンオキシド付加物、高級脂肪酸アミドエチレンオキシド付加物、グリセリン高級脂肪酸エステル、ペンタエリスリトール高級脂肪酸エステル、ソルビトールやソルビタンの高級脂肪酸エステル（またはこれらのエチレンオキシド付加物）、ショ糖高級脂肪酸エステル、ポリオールの高級アルキルエーテル、アルカノールアミンの高級脂肪酸アミド、アミノ酸型両性活性剤、ベタイン型両性活性剤等の単独または２種以上の混合物が挙げられる。界面活性剤は、使用するモノマーの全量又は分散させる樹脂の全量に対して、０．０１〜２０質量％使用することが好ましい。【００２４】
本発明のラテックスについては「合成樹脂エマルジョン（奥田平、稲垣寛編集、高分子刊行会発行（１９７８））」、「合成ラテックスの応用（杉村孝明、片岡靖男、鈴木聡一、笠原啓司編集、高分子刊行会発行（１９９３））」、「合成ラテックスの化学（室井宗一著、高分子刊行会発行（１９７０））」などに記載されている。分散粒子の平均粒径は１  〜５００ｎｍ  、より好ましくは５  〜１００ｎｍ程度の範囲が好ましい。分散粒子の粒径分布に関しては特に制限はなく、広い粒径分布をもつものでも単分散の粒径分布をもつものでもよい。【００２５】
本発明のラテックスとしては通常の均一の構造のラテックス以外、いわゆるコア／シェル型のラテックスでもよい。この場合コアとシェルはガラス転移温度を変えると好ましい場合がある。【００２６】
本発明のラテックスの最低造膜温度（ＭＦＴ）は−３０℃〜９０℃、より好ましくは０℃〜７０℃程度が好ましい。最低造膜温度をコントロールするために造膜助剤を添加してもよい。造膜助剤は可塑剤ともよばれラテックスの最低造膜温度を低下させる有機化合物（通常有機溶剤）で、例えば前述の「合成ラテックスの化学（室井宗一著、高分子刊行会発行（１９７０））」に記載されている。【００２７】
本発明に用いられるラテックスのポリマーは、近赤外線吸収層を形成した後は２５℃５５％ＲＨ  での平衡含水率が３質量％以下、より好ましくは１質量％以下のものであることが、高湿下での保存性と耐候性を向上させることができる。この平衡含水率の下限には特に制限はないが、好ましくは０．０１％質量程度であり、より好ましくは０．０３質量％程度である。平衡含水率の定義と測定法については、例えば「高分子工学講座１４、高分子材料試験法（高分子学会編、地人書館）」などを参考にすることができる。実際の測定は後記実施例に示すように行うことができる。【００２８】
本発明の近赤外線吸収層は全バインダーの３０質量％以上が上記ラテックスに由来するポリマーであるが、６０質量％以上が上記ラテックスに由来するポリマーであることが好ましい。【００２９】
本発明の近赤外線吸収層には必要に応じて全バインダーの６０質量％以下の範囲でゼラチン、ポリビニルアルコール、メチルセルロース、ヒドロキシプロピルセルロース、カルボキシメチルセルロース、ヒドロキシプロピルセルロースなどの親水性ポリマーを添加しても良い。これらの親水性ポリマーの添加量は感光層の全バインダーの４０質量％以下が好ましい。本発明の近赤外線吸収層又は隣接層に用いられるポリビニルアルコール（ＰＶＡ）としては以下の化合物がある。【００３０】
けん化物としては、ＰＶＡ−１２４Ｈ［ＰＶＡ含有率９３．５質量％、けん化度９９．６±０．３モル％、酢酸ナトリウム含有率１．８５質量％、揮発分５．０質量％、粘度（４質量％、２０℃）６１．０±６．０ＣＰＳ］、ＰＶＡ−ＣＳ［ＰＶＡ含有率９４．０質量％、けん化度９７．５±０．５モル％、酢酸ナトリウム含有率１．０質量％、揮発分５．０質量％、粘度（４質量％、２０℃）２７．５±３．０ＣＰＳ］、ＰＶＡ−ＣＳＴ［ＰＶＡ含有率９４．０質量％、けん化度９６．０±０．５モル％、酢酸ナトリウム含有率１．０質量％、揮発分５．０質量％、粘度（４質量％、２０℃）２７．０±３．０ＣＰＳ］、ＰＶＡ−ＨＣ［ＰＶＡ含有率９０．０質量％、けん化度９９．８５モル％以上、酢酸ナトリウム含有率２．５質量％、揮発分８．５質量％、粘度（４質量％、２０℃）２５．０±３．５ＣＰＳ］（以上、いずれもクラレ（株）製の商品名）。近赤外線吸収層や隣接層の最終の塗布液のｐＨは５．０〜７．８が好ましく、５．５から７．２が特に好ましい。【００３１】
本発明の近赤外線吸収層は水系の塗布液を塗布後乾燥して形成する。ただしここで言う「水系」とは塗布液の溶媒（分散媒）の３０質量％以上が水であることをいう。塗布液の水以外の成分としてはメチルアルコール、エチルアルコール、イソプロピルアルコール、メチルセロソルブ、エチルセロソルブ、ジメチルホルムアミド、酢酸エチルなどの水混和性の有機溶媒を用いることができる。【００３２】
具体的な溶媒組成の例としては以下のようなものがある。水／メタノール＝９０／１０、水／メタノール＝７０／３０、水／エタノール＝９０／１０、水／イソプロパノール＝９０／１０、水／ジメチルホルムアミド＝９５／５、水／メタノール／ジメチルホルムアミド＝８０／１５／５、水／メタノール／ジメチルホルムアミド＝９０／５／５（ただし数字は質量を表す）。【００３３】
本発明の近赤外線吸収層の１層当たりの全バインダー量は１ｍ2当たりの塗布量で示して０．２〜３０ｇ／ｍ2、より好ましくは１〜１５ｇ／ｍ2の範囲が好ましい。近赤外線吸収層の１層当たりの膜厚は０．３〜５０μｍであることが好ましく、より好ましくは１．５〜３０μｍ  である。【００３４】
本発明のラテックスは、単独で使用するか又はゼラチンと共に使用し、ゼラチンと共に使用する場合でもゼラチンが少ない程よい。ゼラチンの使用質量比が大きいと耐湿性の劣化が大きく、少ないと塗布が均一となりにくい。故にラテックス樹脂の５０％以下が好ましい。【００３５】
近赤外線吸収染料は、水溶性の場合には水溶液にして、水不溶性の場合にはアルコール類、エステル類、ケトン類等の水に混和しうる有機溶媒の溶液としてラテックス溶液に添加すればよい。又、これらの有機溶媒に溶けないときには、ボールミル、サンドミル、ビーズミル、ジェットミル等で０．０１〜１０μｍの大きさの微粒子にして添加することができる。微粒子分散の方法は、固体分散の技術を好ましく応用することができる。例えば、ボールミル、遊星回転ボールミル、振動ボールミル、ジェットミル等の分散機を使用して所望の粒子径にすることができる。分散時に界面活性剤を使用すると分散後の安定性を向上させることができる。【００３６】
本発明に適した分散装置としては、マイクロフルイデックス・インターナショナル・コーポレーション社製マイクロフルイダイザーＭ−１１０Ｓ−ＥＨ（Ｇ１０Ｚインターラクションチャンバー付き）、Ｍ−１１０Ｙ（Ｈ１０Ｚインターラクションチャンバー付き）、Ｍ−１４０Ｋ（Ｇ１０Ｚインターラクションチャンバー付き）、ＨＣ−５０００（Ｌ３０ＺまたはＨ２３０Ｚインターラクションチャンバー付き），ＨＣ−８０００（Ｅ２３０ＺまたはＬ３０Ｚインターラクションチャンバー付き）等が挙げられる。これらの装置を用い、少なくとも近赤外線吸収染料を含む水分散液を高圧ポンプ等で加圧して配管内に送入した後、配管内に設けられた細いスリットを通過させることにより所望の圧力を印加し、この後に配管内の圧力を大気圧に急速に戻す等の方法で分散液に急激な圧力降下を生じさせることにより本発明に最適な近赤外線吸収染料分散物を得ることが可能である。分散操作に先だって、原料液を予備分散することが好ましい。予備分散する手段としては公知の分散手段（例えば、高速ミキサー、ホモジナイザー、高速衝撃ミル、バンバリーミキサー、ホモミキサー、ニーダー、ボールミル、振動ボールミル、遊星ボールミル、アトライター、サンドミル、ビーズミル、コロイドミル、ジェットミル、ローラーミル、トロンミル、高速ストーンミル）を用いることができる。機械的に分散する以外にも、ｐＨコントロールすることで溶媒中に粗分散し、その後、分散助剤の存在下でｐＨを変化させて微粒子化させても良い。このとき、粗分散に用いる溶媒として有機溶媒を使用しても良く、通常有機溶媒は微粒子化終了後除去される。【００３７】
近赤外線吸収染料分散においては、流速、圧力降下時の差圧と処理回数の調節によって所望の粒子サイズに分散することが可能であるが、粒子サイズの点から、流速が２００ｍ／秒〜６００ｍ／秒、圧力降下時の差圧が９００〜３０００ｋｇ／ｃｍ2の範囲が好ましく、流速が３００ｍ／秒〜６００ｍ／秒、圧力降下時の差圧が１５００〜３０００ｋｇ／ｃｍ2の範囲であることが更に好ましい。分散処理回数は必要に応じて選択できるが、通常は１回〜１０回の処理回数が選ばれるが、生産性の点からは１回〜３回程度の処理回数が選ばれる。高圧下でこのような水分散液を高温にすることは、分散性点から好ましくなく、９０℃を越えるような高温では粒子サイズが大きくなりやすくなる。従って、本発明では前記の高圧、高流速に変換する前の工程もしくは、圧力降下させた後の工程、あるいはこれらの両工程に冷却工程を含み、このような水分散の温度が冷却工程により５〜９０℃の範囲に保たれていることが好ましく、更に好ましくは５〜８０℃の範囲、特に５〜６５℃の範囲に保たれていることが好ましい。特に、１５００〜３０００ｋｇ／ｃｍ2の範囲の高圧の分散時には前記の冷却工程を設置することが有効である。冷却器は、その所要熱交換量に応じて、二重管や二重管にスタチックミキサーを使用したもの、多管式熱交換器、蛇管式熱交換器等を適宜選択することができる。また、熱交換の効率を上げるために、使用圧力を考慮して、管の太さ、肉厚や材質など好適なものを選べばよい。冷却器に使用する冷媒は、熱交換量から、２０℃の井水や冷凍機で処理した５〜１０℃の冷水、また必要に応じて−３０℃のエチレングリコール／水等の冷媒を使用することもできる。【００３８】
分散操作では、水性溶媒可溶な分散剤（分散助剤）の存在下で近赤外線吸収染料を分散することが好ましい。分散助剤としては、例えば、ポリアクリル酸、アクリル酸の共重合体、マレイン酸共重合体、マレイン酸モノエステル共重合体、アクリロメチルプロパンスルホン酸共重合体などの合成アニオンポリマー、カルボキシメチルデンプン、カルボキシメチルセルロースなどの半合成アニオンポリマー、アルギン酸、ペクチン酸などのアニオン性ポリマー、特開平７−３５０７５３号に記載の化合物、あるいは公知のアニオン性、ノニオン性、カチオン性界面活性剤やその他のポリビニルアルコール、ポリビニルピロリドン、カルボキシメチルセルロース、ヒドロキシプロピルセルロース、ヒドロキシプロピルメチルセルロース等の公知のポリマー、或いはゼラチン等の自然界に存在する高分子化合物を適宜選択して用いることができるが、ポリビニルアルコール類、水溶性のセルロース誘導体が特に好ましい。分散助剤は、分散前に近赤外線吸収染料の粉末またはウェットケーキ状態の近赤外線吸収染料と混合し、スラリーとして分散機に送り込むのは一般的な方法であるが、予め近赤外線吸収染料と混ぜ合わせた状態で熱処理や溶媒による処理を施して近赤外線吸収染料粉末またはウェットケーキとしても良い。分散前後または分散中に適当なｐＨ調整剤によりｐＨコントロールしても良い。機械的に分散する以外にも、ｐＨコントロールすることで溶媒中に粗分散し、その後、分散助剤の存在下でｐＨを変化させて微粒子化させても良い。このとき、粗分散に用いる溶媒として有機溶媒を使用しても良く、通常有機溶媒は微粒子化終了後除去される。【００３９】
調製された分散物は、保存時の微粒子の沈降を抑える目的で撹拌しながら保存したり、親水性コロイドにより粘性の高い状態（例えば、ゼラチンを使用しゼリー状にした状態）で保存したりすることもできる。また、保存時の雑菌などの繁殖を防止する目的で防腐剤を添加することもできる。本発明に用いる近赤外線吸収染料微粒子分散物は、少なくとも近赤外線吸収染料と水から成るものである。近赤外線吸収染料と水との割合は特に限定されるものではないが、近赤外線吸収染料の全体に占める割合は５〜５０質量％であることが好ましく、特に１０〜３０質量％の範囲が好ましい。前述の分散助剤を用いることは好ましいが、粒子サイズを最小にするのに適した範囲で最少量使用するのが好ましく、近赤外線吸収染料に対して０．５〜３０質量％、特に１〜１５質量％の範囲が好ましい。本発明では近赤外線吸収染料水分散液と紫外線吸収剤水分散液を混合して近赤外線吸収材料を製造することが可能であるが、近赤外線吸収染料と紫外線吸収剤の混合比率は目的に応じて選べるが、近赤外線吸収染料に対する紫外線吸収の割合は０．０１〜３０モル％の範囲が好ましく、更に０．１〜１０モル％、特に０．５〜５モル％の範囲が好ましい。混合する際に２種以上の近赤外線吸収染料と２種以上の紫外線吸収剤を混合することは制限されない。【００４０】
近赤外線吸収層を設けるに際しては、支持体上に接着層／帯電防止層／近赤外線吸収層の順にすると帯電防止効果も得られるので好都合である。接着層としてコロナ放電した支持体上に塩化ビニリデン共重合体やスチレン−グリシジルアクリレート共重合体を０．１〜１μｍの厚さで塗布した後、帯電防止層としてインジウムやリンをドープした平均粒子径０．０１〜１μｍの酸化錫、５酸化バナジウムの微粒子を含むゼラチン層やアクリル又はメタクリルポリマー層或いは非アクリルポリマー層を塗布することができる。又、スチレンスルホン酸とマレイン酸共重合体を前述したアジリジンやカルボニル活性型の架橋剤で造膜して設けることができる。これら帯電防止層の上に染料層を設けて近赤外線吸収層とする。近赤外線吸収層中には、コロイダルシリカ更にはコロイダルシリカの表面をメタクリレートやアクリレートポリマー又はスチレンポリマーやアクリルアミド等の非アクリレートポリマー、等で被覆した複合コロイダルシリカ等で寸法安定のための無機又は複合充填物や接着防止のシリカやメタクリル酸メチルマット剤、搬送性の制御のためのシリコン系滑り剤或いは剥離剤等を含有させることができる。【００４１】
プラズマディスプレイが発する８２０、８５０〜９００および９５０〜１０００ｎｍの近赤外線の吸収に必要な前面板の８２０〜１０００ｎｍの透過率としては３０％以下であることが好ましい。しかし、あまり透過率が低くなりすぎると可視光部分の透過率も下がるので近赤外線の透過率に加え、更に可視光の中心波長である５００〜６２０ｎｍの波長での透過率が４５％以上であることが好ましい。さらに好ましくは、５００〜６２０ｎｍでの透過率が５０％以上である。特に好ましいのは、これに加え、ブラズマディスプレイバネルの発光体のブルーの発光領域である４５０ｎｍの透過率が４５％以上である。また、本発明にあるように、透明性フィルムに反射防止性能を設けると外光反射が低下し、さらに可視光の透過率が向上してしまうので、透明性フィルムに反射防止性能を設けることは特に好ましい。また、用いる透明性導電性フィルムにこれらの性能を付与しても良いし、さらにこれらの性能を付与したフィルムを片面もしくは両面に積層しても良い。【００４２】
近赤外線吸収染料の具体例としては、ポリメチン系、フタロシアニン系、ナフタロシアニン系、金属錯体系、アミニウム系、イモニウム系、ジイモニウム系、アンスラキノン系、ジチオール金属錯体系、ナフトキノン系、インドールフェノール系、アゾ系、トリアリルメタン系の化合物などが挙げられる。ＰＤＰ用光学フィルターで近赤外線吸収能が要求されるのは、主として熱線吸収や電子機器のノイズ防止である。このためには、最大吸収波長が７５０〜１１００ｎｍである近赤外線吸収能を有する染料が好ましく、金属錯体系、アミニウム系、フタロシアニン系、ナフタロシアニン系、ジイモニウム系、スクワリウム化合物系が特に好ましい。【００４３】
従来知られているニッケルジチオール錯体系化合物またはフッ素化フタロシアニン系化合物の吸収極大は、７００〜９００ｎｍであり、実用化するに当たっては、通常、上記化合物よりも長波長域に吸収極大を有するアミニウム系化合物、特にはジインモニウム系化合物と組み合わせて用いることにより、有効な近赤外線吸収効果を得ることができる。【００４４】
ジイモニウム系化合物下記は一般式（１）で示すことができる。【００４５】
【化１】
2007029508.tif 000002
【００４６】
一般式（１）において、Ｒ1〜Ｒ8は、それぞれ独立に、水素原子、アルキル基、置換アルキル基、環式アルキル基、アルケニル基、アラルキル基または置換アラルキル基を示しており、それらは直鎖状でもあるいは分岐鎖状のいずれでもよい。また、それぞれ同じであっても異なっていても良い。また、Ｘは陰イオンを示す。【００４７】
Ｒ1〜Ｒ8において、アルキル基、置換アルキル基、環式アルキル基、アルケニル基、アラルキル基または置換アラルキル基としては、つぎのものがある。【００４８】
アルキル基としては、例えば、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｉｓｏ−ペンチル基、ｔ−ペンチル基、ｎ−ヘキシル基、ｎ−オクチル基（炭素数１〜１０のものが好ましい。）を、置換アルキル基としては、例えば、２−ヒドロキシエチル基、３−ヒドロキシプロピル基、４−ヒドロキシブチル基、２−アセトキシエチル基、カルボキメチル基、２−カルボキシエチル基、３−カルボキシプロピル基、２−スルホエチル基、３−スルホプロピル基、４−スルホブチル基、３−スルフェイトプロピル基、４−スルフェイトブチル基、Ｎ−（メチルスルホニル）−カルバミルメチル基、３−（アセチルスルファミル）プロピル基、４−（アセチルスルファミル）ブチル基、シアノメチル基、２−シアノエチル基、３−シアノプロピル基、２−シアノプロピル基、４−シアノブチル基、３−シアノブチル基、２−シアノブチル基、５−シアノペンチル基、４−シアノペンチル基、３−シアノペンチル基、２−シアノペンチル基、６−シアノヘキシル基、５−シアノヘキシル基、４−シアノヘキシル基、３−シアノヘキシル基、２−シアノヘキシル基等を、環式アルキル基としては、例えば、シクロヘキシル基等を、アルケニル基としては、例えば、ビニル基、アリル基、プロペニル基等が、アラルキル基としては、例えばベンジル基、フェネチル基、α−ナフチルメチル基、β−ナフチルメチル基、置換アラルキル基賭しては、例えば、カルボキシベンジル基、スルホベンジル基、ヒドロキシベンジル基等がそれぞれあげられる。これらのＲにおいて、炭素数が３〜６のアルキル基やシアノ基が置換されたアルキル基がより好適に用いられる。【００４９】
Ｘは１価の陰イオンまたは２価の陰イオンである。【００５０】
１価の陰イオンとしては、有機酸１価アニオン、無機１価アニオン等があげられる。有機酸１価アニオンとしては、酢酸イオン、乳酸イオン、トリフルオロ酢酸イオン、プロピオン酸イオン、安息香酸イオン、シュウ酸イオン、コハク酸イオン、ステアリン酸イオン等の有機カルボン酸イオン、メタンスルホン酸イオン、トルエンスルホン酸イオン、ナフタレンモノスルホン酸イオン、クロロベンゼンスルホン酸イオン、ニトロベンゼンスルホン酸イオン、ドデシルベンゼンスルホン酸イオン、ベンゼンスルホン酸イオン、エタンスルホン酸イオン、トリフルオロメタンスルホン酸イオン等の有機スルホン酸イオン、テトラフェニルホウ酸イオン、ブチルトリフェニルホウ酸イオン等の有機ホウ酸イオン等があげられ、好ましくは、トリフルオロメタンスルホン酸イオン、トルエンスルホン酸イオン等のハロゲノアルキルスルホン酸イオンもしくはアルキルアリールスルホン酸イオンが挙げられる。【００５１】
無機１価アニオンとしては、例えばフッ素イオン、塩素イオン、臭素イオン、ヨウ素イオン等のハロゲンイオン、チオシアン酸イオン、ヘキサフルオロアンチモン酸イオン、過塩素酸イオン、過ヨウ素酸イオン、硝酸イオン、テトラフルオロホウ酸イオン、ヘキサフルオロリン酸イオン、モリブデン酸イオン、タングステン酸イオン、チタン酸イオン、バナジン酸イオン、リン酸イオン、ホウ酸イオン等があげられ、好ましいものとしては、過塩素酸イオン、ヨウ素イオン、テトラフルオロホウ酸イオン、ヘキサフルオロリン酸イオン、ヘキサフルオロアンチモン酸イオン等が挙げられる。【００５２】
Ｘのうち２価の陰イオンとしては、ナフタレン−１、５−ジスルホン酸、Ｒ酸、Ｇ酸、Ｈ酸、ベンゾイルＨ酸、ｐ−クロルベンゾイルＨ酸、ｐ−トルエンスルホニルＨ酸、クロルＨ酸、クロルアセチルＨ酸、メタニルγ酸、６−スルホナフチル−γ酸、Ｃ酸、ε酸、ｐ−トルエンスルホニルＲ酸、ナフタリン−１，６−ジスルホン酸、１−ナフトール−４，８−ジスルホン酸、等のナフタレンジスルホン酸誘導体、カルボニルＪ酸、４，４’−ジアミノスチルベン−２，２’−ジスルホン酸、ジＪ酸、ナフタル酸、ナフタリン−２，３−ジカルボン酸、ジフェン酸、スチルベン−４，４’−ジカルボン酸、６−スルホ−２−オキシ−３−ナフトエ酸、アントラキノン−１，８−ジスルホン酸、１，６−ジアミノアントラキノン−２，７−ジスルホン酸、２−（４−スルホフェニル）−６−アミノベンゾトリアゾール−５−スルホン酸、６−（３−メチル−５−ピラゾロニル）−ナフタレン−１，３−ジスルホン酸、１−ナフトール−６−（４−アミノ−３−スルホ）アニリノ−３−スルホン酸等の２価の有機酸のイオンが挙げられる。これらの陰イオンのうち、好ましいものとしては、例えば過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン、トルエンスルホン酸イオン等が挙げられる。【００５３】
イモニウム化合物の具体例を下記に示す。（Ｉ−１）Ｎ，Ｎ，Ｎ’，Ｎ’−テトラキス（４−ジ−ｎ−ブチルアミノフェニル）−１，４−ベンゾキノン−ビス（イモニウム・ヘキサフルオロアンチモン酸）（Ｉ−２）Ｎ，Ｎ，Ｎ’，Ｎ’−テトラキス（４−ジ−ｎ−ブチルアミノフェニル）−１，４−ベンゾキノン−ビス（イモニウム・過塩素酸）（Ｉ−３）Ｎ，Ｎ，Ｎ’，Ｎ’−テトラキス（４−ジ−アミルアミノフェニル）−１，４−ベンゾキノン−ビス（イモニウム・ヘキサフルオロアンチモン酸）（Ｉ−４）Ｎ，Ｎ，Ｎ’，Ｎ’−テトラキス（４−ジ−ｎ−プロピルアミノフェニル）−１，４−ベンゾキノン−ビス（イモニウム・ヘキサフルオロアンチモン酸）（Ｉ−５）Ｎ，Ｎ，Ｎ’，Ｎ’−テトラキス（４−ジ−ｎ−ヘキシルアミノフェニル）−１，４−ベンゾキノン−ビス（イモニウム・ヘキサフルオロアンチモン酸）（Ｉ−６）Ｎ，Ｎ，Ｎ’，Ｎ’−テトラキス（４−ジ−ｉｓｏ−プロピルアミノフェニル）−１，４−ベンゾキノン−ビス（イモニウム・ヘキサフルオロアンチモン酸）（Ｉ−７）Ｎ，Ｎ，Ｎ’，Ｎ’−テトラキス（４−ジ−ｎ−ペンチルアミノフェニル）−１，４−ベンゾキノン−ビス（イモニウム・ヘキサフルオロアンチモン酸）（Ｉ−８）Ｎ，Ｎ，Ｎ’，Ｎ’−テトラキス（４−ジ−メチルアミノフェニル）−１，４−ベンゾキノン−ビス（イモニウム・ヘキサフルオロアンチモン酸）
ニッケルジチオール錯体化合物は下記一般式（２）で示すことができる。【００５４】
【化２】
2007029508.tif 000003
【００５５】
式中、Ｒ9、Ｒ10、Ｒ11及びＲ12は、各々独立に、水素原子、ハロゲン原子、アルキル基、シクロアルキル基、アリール基、ヒドロキシ基、トリフルオロメチル基、アルキルチオ基、アリールチオ基、ニトロ基、シアノ基、アルコキシ基、アリールオキシ基、アルキルアミノ基を表す。一つの芳香環に複数の置換基を有していてもよく、それらが互いに異なる置換基でも構わない。【００５６】
Ｒ9、Ｒ10、Ｒ11及びＲ12において、ハロゲン原子、アルキル基、シクロアルキル基、アリール基、アルキルチオ基、アリールチオ基、アリールオキシ基、アルキルアミノ基としてはつぎのものがある。ハロゲン原子としては、例えば、フッ素原子、塩素原子、臭素原子、沃素原子等、アルキルとして、例えば、メチル基、エチル基、プロピル基、ブチル基、ペンチル基、ヘキシル基等、シクロアルキル基として、例えば、シクロペンチル基、シクロヘキシル基等、アリール基としては、例えば、フェニル基、ｐ−ニトロフェニル基等、アルキルチオ基として、例えば、メチルチオ基、エチルチオ基、ブチルチオ基等、アリールチオ基として、例えば、フェニルチオ基、トリルチオ基等、アルコキシ基として例えば、メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｎ−ペンチルオキシ基、ｉｓｏ−ペンチルオキシ基等、アリールオキシ基として、例えば、フェノキシ基、２−メチルフェノキシ基、３−メチルフェノキシ基、４−メチルフェノキシ基、ナフトキシ基等、アルキルアミノ基として、例えば、メチルアミノ基、エチルアミノ基、ｎ−プロピルアミノ基、ｉｓｏ−プロピルアミノ基、ブチルアミノ基、ペンチルアミノ基、ヘキシルアミノ基、ヘプチルアミノ基、オクチルアミノ基、ノニルアミノ基、ベンジルアミノ基、ジメチルアミノ基、ジエチルアミノ基、ジ−ｎ−プロピルアミノ基、ジ−ｉｓｏ−プロピルアミノ基、ジ−ｎ−ブチルアミノ基、ジ−ｉｓｏ−ブチルアミノ基、ジ−ｎ−ペンチルアミノ基、ジ−ｉｓｏ−ペンチルアミノ基、ジ−ｎ−ヘキシルアミノ基、ジ−ｎ−ヘプチルアミノ基、ジ−ｎ−オクチルアミノ基、ジ−（２−エチルヘキシル）アミノ基、ジベンジルアミノ基、アリールアミノ基、ジフェニルアミノ基、ジトリルアミノ基等を表す。式中、ｒは１〜５の整数を表す。【００５７】
好ましい具体例を下記に示す。【００５８】
【化３】
2007029508.tif 000004
【００５９】
【化４】
2007029508.tif 000005
【００６０】
本発明に好ましいフタロシアニン化合物は、下記一般式（３）で示すことができる。【００６１】
【化５】
2007029508.tif 000006
【００６２】
式中、Ｒ13からＲ16は各々独立に、水素原子、ハロゲン原子、置換又は未置換のアルキル基、置換又は未置換のアルコキシ基、置換又は未置換のアリール基、置換又は未置換のアリールオキシ基、置換又は未置換のアルキルチオ基、あるいは置換又は未置換のアリールチオ基を表している。一つの芳香環に複数の置換基を有していてもよく、それらが互いに異なる置換基でも構わない。また、Ｍは２価の金属原子、３価又は４価の置換金属原子、またはオキシ金属を表す。【００６３】
Ｒ13からＲ16の例としては、ハロゲン原子、置換又は未置換のアルキル基、置換又は未置換のアルコキシ基、置換又は未置換のアリール基、置換又は未置換のアリールオキシ基、置換又は未置換のアルキルチオ基、あるいは置換又は未置換のアリールチオ基としては、次のものがある。ハロゲン原子として、例えば、フッ素原子、塩素原子、臭素原子、沃素原子等、置換又は未置換のアルキル基として、例えば、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｉｓｏ−ペンチル基、ｎｅｏ−ペンチル基、１，２−ジメチル−プロピル基、ｎ−ヘキシル基、ｃｙｃｌｏ−ヘキシル基、１，３−ジメチル−ブチル基、１−ｉｓｏ−プロピルプロピル基、１，２−ジメチルブチル基、ｎ−ヘプチル基、１，４−ジメチルペンチル基、２−メチル１−ｉｓｏ−プロピルプロピル基、１−エチル−３−メチルブチル基、ｎ−オクチル基、２−エチルヘキシル基、３−メチル−１−ｉｓｏ−プロピルブチル基、２−メチル−１−ｉｓｏ−プロピル基、１−ｔ−ブチル−２−メチルプロピル基、ｎ−ノニル基等の炭素数１〜２０の直鎖又は分岐のアルキル基、メトキシメチル基、メトキシエチル基、エトキシエチル基、プロポキシエチル基、ブトキシエチル基、γ−メトキシプロピル基、γ−エトキシプロピル基、メトキシエトキシエチル基、エトキシエトキシエチル基、ジメトキシメチル基、ジエトキシメチル基、ジメトキシエチル基、ジエトキシエチル基等のアルコキシアルキル基、アルコキシアルコキシアルキル基、アルコキシアルコキシアルコキシアルキル基、クロロメチル基、２，２，２−トリクロロエチル基、トリフルオロメチル基、２，２，２−トリクロロエチル基、１，１，１，３，３，３，−ヘキサフルオロ−２−プロピル基等のハロゲン化アルキル基、アルキルアミノアルキル基、ジアルキルアミノアルキル基、アルコキシカルボニルアルキル基、アルキルアミノカルボニルアルキル基、アルコキシスルホニルアルキル基等、置換または未置換のアルコキシ基の例として、例えば、メトキシ基、エトキシ基、ｎ−プロピルオキシ基、ｉｓｏ−プロピルオキシ基、ｎ−ブチルオキシ基、ｉｓｏ−ブチルオキシ基、ｓｅｃ−ブチルオキシ基、ｔ−ブチルオキシ基、ｎ−ペンチルオキシ基、ｉｓｏ−ペンチルオキシ基、ｎｅｏ−ペンチルオキシ基、１，２−ジメチル−プロピルオキシ基、ｎ−ヘキシルオキシ基、ｃｙｃｌｏ−ヘキシルオキシ基、１，３−ジメチル−ブチルオキシ基、１−ｉｓｏ−プロピルプロピルオキシ基、１，２−ジメチルブチルオキシ基、ｎ−ヘプチルオキシ基、１，４−ジメチルペンチルオキシ基、２−メチル−１−ｉｓｏ−プロピルプロピルオキシ基、１−エチル−３−メチルブチルオキシ基、ｎ−オクチルオキシ基、２−エチルヘキシルオキシ基、３−メチル−１−ｉｓｏ−プロピルブチルオキシ基、２−メチル−１−ｉｓｏ−プロピルオキシ基、１−ｔ−ブチル−２−メチルプロピルオキシ基、ｎ−ノニルオキシ基等の炭素数１〜２０の直鎖又は分岐のアルコキシ基、メトキシメトキシ基、メトキシエトキシ基、エトキシエトキシ基、プロポキシエトキシ基、ブトキシエトキシ基、γ−メトキシプロピ��オキシ基、γ−エトキシプロピルオキシ基、メトキシエトキシエトキシ基、エトキシエトキシエトキシ基、ジメトキシメトキシ基、ジエトキシメトキシ基、ジメトキシエトキシ基、ジエトキシエトキシ基等のアルコキシアルコキシ基、メトキシエトキシエトキシ基、エトキシエトキシエトキシ基、ブチルオキシエトキシエトキシ基等のアルコキシアルコキシアルコキシ基、アルコキシアルコキシアルコキシアルコキシ基、クロロメトキシ基、２，２，２−トリクロロエトキシ基、トリフルオロメトキシ基、２，２，２−トリクロロエトキシ基、１，１，１，３，３，３，−ヘキサフルオロ−２−プロピルオキシ基等のハロゲン化アルコキシ基、ジメチルアミノエトキシ基、ジエチルアミノエトキシ基などのアルキルアミノアルコキシ基、ジアルキルアミノアルコキシ基等、置換又は未置換のアリール基として、例えば、フェニル基、クロロフェニル基、ジクロロフェニル基、ブロモフェニル基、フッ素化フェニル基、ヨウ素化フェニル基等のハロゲン化フェニル基、トリル基、キシリル基、メシチル基、エチルフェニル基、メトキシフェニル基、エトキシフェニル基、ピリジル基などが挙げられる。置換又は未置換のアリールオキシ基の例としては、フェノキシ基、ナフトキシ基、アルキルフェノキシ基等、置換又は未置換のアルキルチオ基として、例えば、メチルチオ基、エチルチオ基、ｎ−プロピルチオ基、ｉｓｏ−プロピルチオ基、ｎ−ブチルチオ基、ｉｓｏ−ブチルチオ基、ｓｅｃ−ブチルチオ基、ｔ−ブチルチオ基、ｎ−ペンチルチオ基、ｉｓｏ−ペンチルチオ基、ｎｅｏ−ペンチルチオ基、１，２−ジメチル−プロピルチオ基、ｎ−ヘキシルチオ基、ｃｙｃｌｏ−ヘキシルチオ基、１，３−ジメチル−  ブチルチオ基、１−ｉｓｏ−プロピルプロピルチオ基、１，２−ジメチルブチルチオ基、ｎ−ヘプチルチオ基、１，４−ジメチルペンチルチオ基、２−メチル１−ｉｓｏ−プロピルプロピルチオ基、１−エチル−３−メチルブチルチオ基、ｎ−オクチルチオ基、２−エチルヘキシルチオ基、３−メチル−１−ｉｓｏ−プロピルブチルチオ基、２−メチル−１−ｉｓｏ−プロピルチオ基、１−ｔ−ブチル−２−メチルプロピルチオ基、ｎ−ノニルチオ基等の炭素数１〜２０の直鎖又は分岐のアルキルチオ基、メトキシメチルチオ基、メトキシエチルチオ基、エトキシエチルチオ基、プロポキシエチルチオ基、ブトキシエチルチオ基、γ−メトキシプロピルチオ基、γ−エトキシプロピルチオ基、メトキシエトキシエチルチオ基、エトキシエトキシエチルチオ基、ジメトキシメチルチオ基、ジエトキシメチルチオ基、ジメトキシエチルチオ基、ジエトキシエチルチオ基等のアルコキシアルキルチオ基、アルコキシアルコキシアルキルチオ基、アルコキシアルコキシアルコキシアルキルチオ基、クロロメチルチオ基、２，２，２−トリクロロエチルチオ基、トリフルオロメチルチオ基、２，２，２−トリクロロエチルチオ基、１，１，１，３，３，３，−ヘキサフルオロ−２−プロピルチオ基等のハロゲン化アルキルチオ基、ジメチルアミノエチルシチオ基、ジエチルアミノエチルチオ基等のアルキルアミノアルキルチオ基、ジアルキルアミノアルキルチオ基等、置換又は未置換のアリールチオ基の例として、フェニルチオ基、ナフチルチオ基、アルキルフェニルチオ基等を挙げることができる。【００６４】
Ｍとしては、次のものがある。２価の金属として、例えば  Ｃｕ（II）、Ｚｎ（II）、Ｃｏ（II）、Ｎｉ（II）、Ｒｕ（II）、Ｒｈ（II）、Ｐｄ（II）、Ｐｔ（II）、Ｍｎ（II）、Ｍｇ（II）、Ｔｉ（II）、Ｂｅ（II）、Ｃａ（II）、Ｂａ（II）、Ｈｇ（II）、Ｐｂ（II）、Ｓｎ（II）等、１置換の３価金属の例として、Ａｌ−Ｃｌ、Ａｌ−Ｂｒ、Ａｌ−Ｆ、Ａｌ−Ｉ、Ｇａ−Ｃｌ、Ｇａ−Ｆ、Ｇａ−Ｉ、Ｇａ−Ｂｒ、Ｉｎ−Ｃｌ、Ｉｎ−Ｂｒ、Ｉｎ−Ｉ、Ｉｎ−Ｆ、Ｔｌ−Ｃｌ、Ｔｌ−Ｂｒ、Ｔｌ−Ｉ、Ｔｌ−Ｆ、Ａｌ−Ｃ6Ｈ5、Ａｌ−Ｃ6Ｈ4（ＣＨ3）、Ｉｎ−Ｃ6Ｈ5、Ｉｎ−Ｃ6Ｈ4（ＣＨ3）、Ｍｎ（ＯＨ）、Ｍｎ（ＯＣ6Ｈ5）、Ｍｎ〔ＯＳｉ（ＣＨ3）3〕、Ｆｅ−Ｃｌ、Ｒｕ−Ｃｌ等、２置換の４価金属として、ＣｒＣｌ2、ＳｉＣｌ2、ＳｉＢｒ2、ＳｉＦ2、ＳｉＩ2、ＺｒＣｌ2、ＧｅＣｌ2、ＧｅＢｒ2、ＧｅＩ2、ＧｅＦ2、ＳｎＣｌ2、ＳｎＢｒ2、ＳｎＦ2、ＴｉＣｌ2、ＴｉＢｒ2、ＴｉＦ2、Ｓｉ（ＯＨ）2、Ｇｅ（ＯＨ）2、Ｚｒ（ＯＨ）2、Ｍｎ（ＯＨ）2、Ｓｎ（ＯＨ）2、ＴｉＲ2、ＣｒＲ2、ＳｉＲ2、ＳｎＲ2、ＧｅＲ2〔Ｒはアルキル基、フェニル基、ナフチル基またはそれらから誘導される基を表す〕、Ｓｉ（ＯＲ’）2、Ｓｎ（ＯＲ’）2、Ｇｅ（ＯＲ’）2、Ｔｉ（ＯＲ’）2、Ｃｒ（ＯＲ’）2〔Ｒ’はアルキル基、フェニル基、ナフチル基、トリアルキルシリル基、ジアルキルアルコキシシリル基またはそれらから誘導される基を表す〕、Ｓｎ（ＳＲ”）2、Ｇｅ（ＳＲ”）2（Ｒ”はアルキル基、フェニル基、ナフチル基またはそれらから誘導される基を表す）など、オキシ金属の例としては、ＶＯ、ＭｎＯ、ＴｉＯ等を挙げることができる。ｐは１〜４の整数を表す。また、置換基が隣接する場合、５員又は６員の環を形成してもよい。該化合物の合成方法は特開２００５−１４５８９６号公報を参考にすることができる。【００６５】
フタロシアニン化合物の合成方法は特開２００５−１４５８９６号公報を参考にすることができる。好ましいフタロシアニン化合物を下記に示す。【００６６】
【化６】
2007029508.tif 000007
【００６７】
【化７】
2007029508.tif 000008
【００６８】
【化８】
2007029508.tif 000009
【００６９】
スクワリウム系化合物は下記一般式（４）で示すことができる。【００７０】
【化９】
2007029508.tif 000010
【００７１】
式中、Ｒ17〜Ｒ27は、それぞれ独立に、アルキル基、シクロアルキル基、アリール基、アラルキル基、ヘテロ環基を表し、これらは置換基を有してもよく、ｍ、ｎは０または１〜６の整数を表す。【００７２】
Ｒ17からＲ27で表されるアルキル基は、炭素数１から２０、より好ましくは１から１２のアルキル基（例えば、メチル、エチル、プロピル、ブチル、へキシル、ウンデシル）である。又、ハロゲン原子（Ｆ、Ｃｌ、Ｂｒ）、アルコキシカルボニル基（例えば、メトキシカルボニル、エトキシカルボニル）、ヒドロキシ基、アルコキシ基（例えば、メトキシ、エトキシ、フェノキシ、イソブトキシ）又はアシルオキシ基（例えば、アセチルオキシ、ブチリルオキシ、ヘキシリルオキシ、ベンゾイルオキシ）、スルホ基（塩でもよい）、カルボキシル基（塩でもよい）等で置換されていてもよい。【００７３】
Ｒ17からＲ27で表されるシクロアルキル基は、シクロペンチル、シクロヘキシルを挙げることが出来る。【００７４】
Ｒ17からＲ27で表されるアリール基は、６から１２の炭素数のものが好ましく、フェニル基又はナフチル基が挙げられる。アリール基は、置換していてもよい。置換基としては、炭素数１から８のアルキル基（例えば、メチル、エチル、ブチル）、炭素原子数１から６のアルコキシ基（例えば、メトキシ、エトキシ）、アリールオキシ基（例えば、フェノキシ、ｐ−クロロフェノキシ）、ハロゲン原子（Ｆ、Ｃｌ、Ｂｒ）、アルコキシカルボニル基（例えば、メトキシカルボニル、エトキシカルボニル）、アミノ基（例えば、メチルアミノ、アセチルアミノ、メタンスルホンアミド）、シアノ基、ニトロ基、カルボキシル基（塩でもよい）およびスルホ基（塩でもよい）が含まれる。【００７５】
Ｒ17からＲ27で表されるアラルキル基は、７から１２の炭素数を有するアラルキル基が好ましく（例えば、ベンジル、フェニルエチル）、置換基（例えば、メチル、メトキシ、クロル原子）を有していてもよい。【００７６】
Ｒ17からＲ27で表されるヘテロ環基としては、チエニル、フリル、ピロリル、ピラゾリル、ピリジル、インドリル等を挙げることが出来る。隣接する置換基がお互いに結合しシクロペンタン又はシクロヘキサン環を形成してもよい。【００７７】
一般式（４）で表される化合物は、混合物であってもよい。また、該化合物についてはＤ．Ｊ．Ｇｒａｖｅｓｔｅｉｊｎｅｔａｌ：Ｏｐｔｉｃａｌ  Ｓｔｏｒａｇｅ  Ｍｅｄｉａ  ＳＰＩＥ−４２０，ｐ３２７，１９８３を参考にすることができる。
また、一般式（５）で表されるスクワリウム系化合物も好ましく用いることが出来る。【００７８】
一般式（５）【００７９】
【化１０】
2007029508.tif 000011
【００８０】
式中、Ｒ28〜Ｒ31表される基は、前記Ｒ17〜Ｒ27で表される基と同義である。
好ましいスクワリウム系化合物の具体例を下記に示す。【００８１】
【化１１】
2007029508.tif 000012
【００８２】
【化１２】
2007029508.tif 000013
【００８３】
本発明における近赤外線吸収染料としての市販品は、ジイモニウム化合物は、ＩＲＧ−０２２、ＩＲＧ−０４０（これらは日本化薬株式会社製商品名である）、ニッケルジチオール錯体化合物は、ＳＩＲ−１２８、ＳＩＲ−１３０、ＳＩＲ−１３２、ＳＩＲ−１５９、ＳＩＲ−１５２、ＳＩＲ−１６２（これらは三井化学株式会社製商品名である）、フタロシアニン系化合物は、ＩＲ−１０，ＩＲ−１２（以上、日本触媒株式会社商品名）などを挙げることができる。本発明において好ましい近赤外線吸収染料はジイモニウム化合物、ニッケルジチオール化合物、フタロシアニン系化合物、スクワリウム化合物等であり、スクワリウム染料がより好ましい。特に一般式（５）で表されるスクワリウム染料が好ましい。【００８４】
上記近赤外線吸収剤は、メタノール、エタノール及びイソプロパノール等のアルコール溶剤、アセトン、メチルエチルケトン及びメチルブチルケトン等のケトン溶媒、ジメチルスルホオキサイド、ジメチルホルムアミド、ジメチルエーテル、トルエン等有機溶解して使用するか、後述する微粒子化機械で平均粒子径０．０１〜１０μｍの微粒子にして塗布すること好ましく、添加量としては光学濃度が、極大波長で０．０５から３．０濃度の範囲で使用するのが好ましい。赤外線吸収剤の塗布量は好ましくは１×１０−６〜１×１０−１モル／ｍ２、より好ましくは１×１０−５〜１×１０−２モル／ｍ２である。【００８５】
なお、近赤外線吸収能を有する染料を、色調補正層に含有させる場合、上記の染料のうちいずれか１種類を含有させてもよいし、２種以上を含有させてもよい。近赤外線吸収染料の紫外線による劣化を避けるために紫外線吸収剤を使用することが好ましい。【００８６】
紫外線吸収剤としては、公知の紫外線吸収剤、例えばサリチル酸系化合物、ベンゾフェノン系化合物、ベンゾトリアゾール系化合物、Ｓ−トリアジン系化合物、環状イミノエステル系化合物などを好ましく使用することができる。これらの中、ベンゾフェノン系化合物、ベンゾトリアゾール系化合物、環状イミノエステル系化合物が好ましい。ポリエステルに配合するものとしては、特に環状イミノエステル系化合物が好ましい。【００８７】
好ましい具体例としては、（Ｕ−１）２−（２−ヒドロキシ−３，５−ジ−α−クミル）−２Ｈ−ベンゾトリアゾール、（Ｕ−２）５−クロロ−２−（２−ヒドロキシ−３−第三−ブチル−５−メチルフェニル）−２Ｈ−ベンゾトリアゾール、（Ｕ−３）５−クロロ−２−（２−ヒドロキシ−３，５−ジ−第三−ブチルフェニル）−２Ｈ−ベンゾトリアゾール、（Ｕ−４）５−クロロ−２−（２−ヒドロキシ−３，５−ジ−α−クミルフェニル）−２Ｈ−ベンゾトリアゾール、（Ｕ−５）５−クロロ−２−（２−ヒドロキシ−３−α−クミル−５−第三オクチルフェニル）−２Ｈ−ベンゾトリアゾール、（Ｕ−６）２−（３−第三ブチル−２−ヒドロキシ−５−（２−イソオクチルオキシカルボニルエチル）フェニル）−５−クロロ−２Ｈ−ベンゾトリアゾール、（Ｕ−７）５−トリフルオロメチル−２−（２−ヒドロキシ−３−α−クミル−５−第三オクチルフェニル）−２Ｈ−ベンゾトリアゾール、（Ｕ−８）５−トリフルオロメチル−２−（２−ヒドロキシ−５−第三オクチルフェニル）−２Ｈ−ベンゾトリアゾール、（Ｕ−９）５−トリフルオロメチル−２−（２−ヒドロキシ−３，５−ジ−第三オクチルフェニル）−２Ｈ−ベンゾトリアゾール、（Ｕ−１０）５−トリフルオロメチル−２−（２−ヒドロキシ−３−α−クミル−５−第三ブチルフェニル）−２Ｈ−ベンゾトリアゾール、（Ｕ−１１）２，４−ビス（４−ビフェニルイル）−６−（２−ヒドロキシ−４−オクチルオキシカルボニルエチリデンオキシフェニル）−ｓ−トリアジン、（Ｕ−１２）２，４−ビス（２，４−ジメチルフェニル）−６−［２−ヒドロキシ−４−（３−ノニルオキシ※−２−ヒドロキシプロピルオキシ）−５−α−クミルフェニル］−ｓ−トリアジン（※はオクチルオキシ基、ノニルオキシ基およびデシルオキシ基の混合物を示す。）、（Ｕ−１３）２，４，６−トリス（２−ヒドロキシ−４−イソオクチルオキシカルボニルイソプロピリデンオキシフェニル）−ｓ−トリアジン、（Ｕ−１４）ヒドロキシフェニル−２Ｈ−ベンゾトリアゾール、（Ｕ−１５）２−（２−ヒドロキシ−５−メチルフェニル）−２Ｈ−ベンゾトリアゾール、（Ｕ−１６）２−（３，５−ジ−第三ブチル−２−ヒドロキシフェニル）−２Ｈ−ベンゾトリアゾール等である。【００８８】
近赤外線吸収層の上層（最上層又は保護層）又は近赤外線吸収層と上層との間にある中間層について述べる。本発明のこれらのバインダーには特に制限はない。バインダー用のポリマーとしては例えばゼラチン、ポリビニルアルコール、カゼイン、寒天、アラビアゴム、ヒドロキシエチルセルロース、セルロースアセテート、セルロースアセテートブチレート、ポリ塩化ビニル、ポリメタクリル酸、ポリ塩化ビニリデン、ポリビニルアセテートなどのポリマーを使用することができる。【００８９】
親水性ポリマーとしては中でもゼラチンが最も好ましい。ゼラチンとしては石灰処理ゼラチン、酸処理ゼラチンなど、どのようなものでも良い。さらにゼラチン誘導体を用いてもよい。また、バインダーとしては親水性ポリマーに加えて、スチレン、メタクリル酸メチル、アクリル酸、ブチルアクリレート、エチルアクリレート、などのホモまたはコポリマーのラテックスを加えてもよい。これらのラテックスは、水分性を向上させるためのノニオン基（ポリエチレングリコールとアクリル酸のエステル）、アニオン基（例えば、イタコン酸、アクリル酸等のカルボン酸基を持つモノマー）、スルホン酸基（例えば、スチレンスルホン酸、Ｎ−ジメチルスルホプロパンアクリルアミド）のあるモノマーを１モル％〜２０モル％の範囲で共重合させると水分散性を向上させることができる。【００９０】
本発明の近赤外線吸収層の隣接層の厚みは１層当たり０．１〜１０μｍ、より好ましくは０．５〜５μｍの範囲が好ましい。前記隣接層は前述の水系の塗布液を塗布後乾燥して形成することが好ましい。前記隣接層は、マット剤を用いることのできるが、用いられるマット剤としてはポリスチレン、ポリメチルメタクリレート、シリカなどの微粒子が好ましい。粒子の形状には特に制限はないが、球形の微粒子は好ましい。マット剤の粒径は０．２〜２０μｍ、より好ましくは０．５〜１０μｍ程度が好ましい。マット剤の添加量は本発明の材料の層構成、厚みや使用目的によって一概に言えないが、１ｍ2当たりの塗布量で示して１０〜２００ｍｇ／ｍ2、より好ましくは２０〜１００ｍｇ／ｍ2程度が好ましい。【００９１】
最上層に用いられる滑り剤としてはシリコン化合物（例えば、ジメチルシロキサンポリマー）、高級脂肪酸アミド（例えば、ステアリン酸アミド、ベヘン酸アミド、アラキジン酸アミド等）、高級アルコールのフタル酸エステル（例えば、フタル酸ジラウリルエステル）、高級脂肪酸と高級アルコールのエステル、パラフィンなど当業界で公知な化合物を用いてよい。公知の滑り剤として好ましいものは、例えば、米国特許第４，２７５，１４６号に記載の高級脂肪族アミド類、米国特許第３，９３３，５１６号に記載の高級脂肪酸もしくはその金属塩類、その他高級アルコールおよびその誘導体類、ポリエチレンワックス、パラフィンワックス、マイクロクリスタリンワックス、ポリオキシエチレンアルキルフェニルエーテル化合物等を挙げることができる。また、天然物の油脂、ワックス、オイル、例えば、蜜蝋なども併用することができる。さらに、併用できる好ましい公知の滑り剤として、市販または合成によって入手可能なシリコーン系化合物を挙げることができる。シリコーン系化合物にあってもポリオルガノシロキサン類が好ましい。これらの水溶液での利用に当たっては分散体の形で添加させることがこのましい。【００９２】
本発明で用いる滑り剤は、水溶液中で分散物の形で最上層に添加される。この場合、水分散系で他の有機溶媒を適宜選択して含有することが出来る。その中で利用できる有機溶剤としては、例えばケトン類（アセトン、メチルエチルケトン、メチルイソブチルケトン、シクロヘキサノンなど）、アルコール類（炭素数１〜８の低級アルコール、例えば、メチルアルコール、エチルアルコール、イソプロピルアルコール、ブチルアルコール、ヘキシルアルコール、オクチルアルコールなど）、グリコール誘導体類（セロソルブ、エチレングリコールジエチルエーテル、プロピレングリコールモノメチルエーテルなど）、炭素数１〜５の低級脂肪酸エステル類（酢酸エチル、酢酸ブチル、プロピオン酸エチルなど）、ハロアルカン類（メチレンジクロライド、エチレンジクロライド、トリクレン、トリクロロメタン、トリクロロエタン、四塩化炭素など）、炭化水素類（オクタン、ソルベントナフサ、テレピン油、石油エーテル、シンナー、石油ベンジン、ベンゼン、トルエン、キシレンなど）、フェノール類（フェノール、レゾルシノールなど）、エーテル類（テトラヒドロフラン、ジオキサンなど）、リン酸エステル類（トリメチルホスフェート、トリエチルホスフェート、トリブチルホスフェートなど）、アミド系のＤＭＦその他ＤＭＳＯなどを挙げることができる。好ましくはアルコール類、ケトン類、グリコール誘導体類、低級脂肪酸エステル類、ハロアルカン類、炭化水素類である。特に、水を混合使用する溶媒系においては、水と均一溶媒となるアルコール類、ケトン類、グリコール誘導体類の中から選ばれる溶媒であり、水不使用の場合の溶媒としては炭化水素類、ケトン類、低級脂肪酸エステル類、ハロアルカン類の使用が好ましい。【００９３】
この場合、水と有機溶剤の比率は１００〜５０：０〜５０（容量％）であり、より好ましくは１００〜７５：０〜２５（容量％）である。これらにより水系塗布液中での滑り剤の分散物の安定性、塗布性、得られる塗膜の平滑性、ゴミ等の付着防止、耐傷性に優れるものである。なお、上記の有機溶媒は、同一もしくは異なる種類の溶媒と２種以上を混合して用いてもよい。微細分散物は公知の分散技術、例えば、機械的な剪断力による分散、超音波分散、２液混合による析出法などにより得られる。滑り剤の添加量としては１ｍ2当たりの塗布量で示して、０．２〜５００ｍｇ／ｍ2、より好ましくは１〜３００ｍｇ／ｍ2が好ましい。滑り剤は１種のみ用いても２種以上を併用してもよい。滑り剤により、フィルムがステンレスローラーの上を搬送されるときの傷の発生を押させることができるので、動摩擦係数は０．３以下０．１以上であることが好ましい。０．１以下であると滑り性が大きくなり．精度のよい搬送が困難になるので好ましくない。塗布液は塗布される前に塗布液中に存在する粗大粒子をろ過で除去することは必要である。ここで述べる「ろ過」とは、ろ過フィルターによるろ過であり、ろ過フィルターの種類や構造の詳細は特に限定されず、本発明の２〜１０μｍの孔径を通過しない異物を除去できるろ過フィルターであればどのようなものでもよい。それらのろ過フィルターを用いて粗大粒子を除去するためのシステムも特に限定されず、ろ過に大きな問題を発生しなければ、特に限定されない。【００９４】
これらのろ過フィルターの素材例としては、紙、布、セルロースアセテートポリマー、ポリスルフォン、ポリエーテルスルフォン、ポリアクリロニトリル、ポリエーテル、フッ素（ポリフッ化ビニリデン）ポリマー、ポリアミド、ポリイミド、ポリエチレン、ポリプロピレン、ステンレス、セラミックなどを挙げることができる。その形態は、平膜、カートリッジ化膜、中空糸膜などであり、特に限定されない。本発明において好ましく用いられるろ過フィルターは、布、ろ紙による平膜であり、また更に好ましくはカートリッジタイプのろ過フィルター、セラミックろ過フィルターが好ましい。これらの膜（ディスクタイプ）、あるいはカートリッジろ過フィルターで本発明の近赤外線吸収層用塗布液をろ過するには、カートリッジろ過フィルターを装着するハウジングを用いることが特に好ましい。【００９５】
これらのろ過フィルターは、ポール社から市販されているポールエポセル（各種サイズ）、プロファイルフィルター（２、３、５、１０μｍ孔径など）、ミリポア社から市販されているＣＮ０３（３μｍ）、ＣＮ０６（６μｍ）なども使用することができる。これらのろ過フィルターは、平膜をプリーツ型にして大面積化したものであり、コンパクトで省スペースである。【００９６】
これらのろ過フィルターの使用に当たっては、その使用法に特に限定はなく、塗布液が目詰まりすることなく、かつ粗大粒子を除去できればよい。しかし、一般に上記のろ過フィルターは、ハウジングに装着されて利用することで設置面積もとることなく有効である。これらのハウジングで好ましい装置としては、市販されているステンレス製、ポリプロピレン製などを挙げることができる。ハウジングのサイズや形状は特に限定されず、円形や角型あるいは一本のフィルター装填型でもよく一度に２本以上のフィルターを装填してもよい。さらにまた、フィルターを２本以上接続して、ろ過フィルター面積を大幅にアップすることもできる。さらに本発明においては、平膜タイプも利用できる。これらはごく一般的なろ過方法で使用され、受け部の上にろ過フィルターを設置し、その上に液収納部となる装置をしっかりと固定し、フィルター装着部を締め部材で締め付けてろ過液をもれないようにするものである。この時、フィルター設置部にはパッキンを装填し、液漏れを防ぐことも行われる。【００９７】
次に本発明の塗布液のろ過を実施するに当たっては、送液のための圧力についての限定はないが、一般に加圧あるいは減圧にてろ過フィルターを通過させ粗大粒子を除去することが好ましい。特に加圧は塗布液をポンプなどで送る方法がとられることが多いが、塗布液をろ過フィルターよりも高所に配置して自然圧でろ過することも好ましい。さらにまた、塗布液に気体で圧力をかけることも好ましく、その場合は塗布液の存在するタンクは密閉系であることが実際である。送液時にポンプで圧力をかけたり、自重で加圧やさらには気体での加圧による場合は、その加圧にあたってはろ過フィルターを破損したり目詰まりさせたりして性能を劣化させない限り、特に限定されない。たとえば、ろ過フィルターにかかる圧力としては、０．００５ｋｇ／ｃｍ2以上５０ｋｇ／ｃｍ2以下が好ましく、さらに０．０１ｋｇ／ｃｍ2以上１０ｋｇ／ｃｍ2以下が好ましく、０．１ｋｇ／ｃｍ2以上５ｋｇ／ｃｍ2以下が特に好ましい。また、ろ過液受け部を減圧してろ過する場合は、真空度が１００ｋＰａ以下１ｋＰａ以上が好ましく、９３ｋＰａ以下１３ｋＰａ以上がさらに好ましく、特に９３ｋＰａ以下５２ｋＰａ以上が好ましい。【００９８】
本発明は、好ましい実施態様では塗布液を塗布前にろ過することはハジキ故障や異物故障を少なくすることができるので必要である。ろ過から塗布までの時間は特に限定されない。ろ過された塗布液が粗大粒子を形成しなければ、塗布使用の相当前にろ過しても構わない。しかし、製造効率を考えると一般にろ過は塗布直前から１２ヶ月以内であることが好ましく、塗布直前から６ヶ月以内であることがより好ましく、塗布直前から１月以内であることがさらにより好ましく、塗布直前から１５日以内であることが特に好ましい。ここで塗布直前とは、塗布液をストックするタンクから塗布ギーサーに到る送液配管の途中に存在している場合を含み、この場合は所謂オンラインろ過となり好ましい。なお、ろ過された塗布液は最終的に塗布される工程以外のストックタンクに、一時的に保管されても問題はない。【００９９】
本発明では、少なくとも一層の塗布液をろ過する。このため、複数層ある場合は、そのうちの少なくとも一層の塗布液をろ過する。好ましいのは、すべての層の塗布液をろ過する場合である。本発明において塗布液をろ過する工程を好ましい要件としているのは、この工程が品質与える影響が最も大きいためである。しかし、更に近赤外線吸収層の他に塗布面状に影響を与える層として、隣接層、保護層やその他の機能層が挙げられる。したがって、本発明においてはこれらの近赤外線吸収層以外の層を形成するための塗布液も、塗布する前に予めろ過されている事が非常に好ましい。特に、近赤外線吸収層以外の層に画像を作製するための添加素材が添加されている場合は、ろ過することが画像のムラやピンホール欠陥を防止する上で好ましい。本発明で述べる中間層や保護層あるいは機能層は、一般にラテックスバインダーを主体とし、他の水溶性化合物や分散素材を含有している。例えば、紫外線吸収剤、膜質改良剤（例えばコロイダルシリカなど）、界面活性剤、ｐＨ調整剤、など多種にわたり、特に限定されない。中でも表面特性を付与するために、滑り剤、マット剤、塗布用界面活性剤、帯電防止剤、膜質改良剤（コロイダルシリカなど）が添加されている。近赤外線吸収層のある層の最外層の滑り性は、動摩擦係数が０．０３〜０．４であることが好ましく、より好ましくは０．０５〜０．３５、さらに好ましくは０．０５〜０．３、特に好ましくは０．０５〜０．２である。動摩擦係数の評価は、２５℃、６０％ＲＨの環境下で、１００ｇの荷重をかけた直径５ｍｍのステンレス硬球を近赤外線吸収材料上で、６０ｍｍ／秒のスピードで動かした際の、ステンレス硬球と近赤外線吸収材料の最外層との動摩擦を測定したものである。【０１００】
これらの層以外の機能性層の塗布液のろ過に当たっては、近赤外線吸収層の塗布液のろ過で述べたと同様のろ過フィルターを利用できる。上記以外にも、ミリポア社から市販されているＣＮ２５（２５μｍ）なども使用することができる。その際のろ過フィルターのろ過孔径は２μｍ以上３０μｍ以下であり、より好ましくは２μｍ以上１０μｍ以下、特に好ましくは２μｍ以上５μｍ以下であり、場合により２μｍ以上３μｍ以下の孔径を有するろ過フィルターが好ましく用いられる。【０１０１】
なお、特にマット剤は表面の凸部を与えるために、一般に大きいマット剤粒子が添加されているため、ろ過フィルターの孔径はある程度のサイズを必要とし、例えば２μｍ以上３０μ以下が好ましく、より好ましくは５μｍ以上２５μ以下が好ましい。さらにマット剤塗布液を予め作製する場合は、マット剤液のみ大き目の孔径のろ過フィルターで別にろ過しておき、他の素材の塗布液をマット剤に小さい孔径のろ過フィルターでろ過しておいて、一緒に混合して利用することが好ましい。本発明では、塗布液を塗布前にろ過することが必須である。【０１０２】
本発明の近赤外線吸収層の最外保護層に含まれるラテックスはガラス転移温度が２０℃以上７０℃未満であり、かつ該ラテックスの含有量は最外保護層の総バインダー量の６５〜１００質量％である。このような条件を満たす最外保護層を形成することにより、耐水性が向上し、ブロッキング性が優れた近赤外線吸収材料を提供することができる。【０１０３】
最外保護層の耐水性は、近赤外線吸収材料の表面に水を滴下し、２５℃で１分放置した後の近赤外線吸収材料の厚さの増加分、すなわち膨潤量で評価することができる。膨潤量が２μｍ以下であり、より好ましくは１．５μｍ以下であり、さらに好ましくは１μｍ以下である。【０１０４】
本発明の近赤外線吸収材料の最外保護層に用いる水溶性ポリマーとしては、例えば、ゼラチン、ポリビニルアルコール（ＰＶＡ）、ポリアクリルアミド、水溶性（メタ）アクリルポリマー、水溶性糖類ポリマーなどを用いることができ、好ましくは、ＰＶＡ、水溶性糖類ポリマーが用いられる。ＰＶＡとしては、けん化度８０〜９９％、重合度２００〜５０００の、通常の市販ＰＶＡ、種々の変性ポリビニルアルコール（アルキル変性ＰＶＡ、アニオン変性ＰＶＡ、シラン変性ＰＶＡ、チオール変性ＰＶＡ、疎水基変性ＰＶＡ等）などを用いることができる。水溶性糖類ポリマーとしては、水溶性でんぷん、デキストラン、ペクチン、寒天、マンナン、ザンタン、カラギナン、プルラン、アルギン酸、水溶性セルロース誘導体（メチルセルロース、ヒドロキシセルロース、カルボキシメチルセルロース、ヒドロキシプロピルセルロース）などを用いることができる。本発明の近赤外線吸収材料の最外保護層において、水溶性ポリマーの含有量は最外保護層の総バインダー量の６〜３５質量％であることが好ましく、より好ましくは１０〜３０質量％である。【０１０５】
本発明の近赤外線吸収材料の最外保護層に水溶性ポリマーと併用するラテックスとしては、例えば、メチルメタクリレート／エチルアクリレート／メタクリル酸コポリマーのラテックス、メチルメタクリレート／２−エチルヘキシルアクリレート／スチレン／アクリル酸コポリマーのラテックス、スチレン／ブタジエン／アクリル酸コポリマーのラテックス、スチレン／ブタジエン／ジビニルベンゼン／メタクリル酸コポリマーのラテックス、メチルメタクリレート／塩化ビニル／アクリル酸コポリマーのラテックス、塩化ビニリデン／エチルアクリレート／アクリロニトリル／メタクリル酸コポリマーのラテックスなどを挙げることができる。【０１０６】
本発明の近赤外線吸収材料の最外保護層に用いるラテックスは、ガラス転移温度（Ｔｇ）が２０℃以上７０℃未満であることが好ましく、より好ましくは２０℃以上６０℃未満である。ラテックスのＴｇが低すぎると、重ねて保存したときに接着故障を起こしやすく、またＴｇが高すぎると、耐水性が発現されにくい傾向がある。【０１０７】
本発明の近赤外線吸収材料の最外保護層において、ラテックスの含有量は最外保護層の総バインダーの６５〜１００質量％であることが好ましく、より好ましくは７０〜９０質量％である。ポリマーラテックスの含有量が大きいほど耐水性の発現には好ましいが、含有量が大きすぎると、乾燥の過程で表面の皮張りが起きやすく、レチ、しわ、ひび割れなどの塗布故障が発生し、塗布液粘度の調節もしにくくなる傾向がある。一方、ラテックスの含有量が小さすぎると、耐水性が発現しにくい傾向がある。【０１０８】
本発明の近赤外線吸収材料の最外保護層において、水溶性ポリマーおよびポリマーラテックスの塗布量は、両者の合計で、最外保護層当たり０．３〜４．０ｇ／ｍ2であることが好ましく、より好ましくは０．３〜２．０ｇ／ｍ2である。【０１０９】
保護層は必要に応じて２層以上にすることができる。例えば、保護層を２層にし、近赤外線吸収層に近い側に、ラテックスを添加した塗布液から形成された層を設けることにより、耐水性と密着を改良することができる。また、近赤外線吸収層に近い側の層の塗布液のｐＨを下げ、表面側の層の塗布液のｐＨを５よりも高くすることで、赤外吸収性能と製造適性の両立をはかることができるなど、赤外吸収特性に関与する添加剤、膜面ｐＨ調節剤、帯電調整剤、紫外線吸収剤、滑り剤や、硬膜剤の添加層を選ぶことにより、塗布性、製造適性と赤外吸収性能とが両立できるように設計することができる。【０１１０】
本発明において、最外保護層には、耐ブロッキング性や搬送性改良のためにマット剤を添加することができる。なお、最外保護層として機能する層、または外表面に近い層に添加することもできる。マット剤については、特開平１１−６５０２１号公報の段落番号０１２６〜０１２７に記載されている。マット剤の使用量は近赤外線吸収材料１ｍ2当たり、１〜４００ｍｇ／ｍ2であることが好ましく、より好ましくは５〜３００ｍｇ／ｍ2である。近赤外線吸収層の最外層のマット度はヘイズの発生が問題にならない範囲であれば大きくすることも可能であるが、通常はベック平滑度が３０〜２０００秒であることが好ましく、より好ましくは４０〜１５００秒である。バック面のマット度は、ベック平滑度が１０〜１２００秒であることが好ましく、より好ましくは２０〜８００秒であり、さらに好ましくは４０〜５００秒である。平滑度を別の表現をすれば、近赤外線吸収材料の最表面はＪＩＳ−Ｂ０６０１におけるＲａが０．１〜１０μｍの範囲に、好ましくは０．３〜５μｍの範囲に、さらに好ましくは０．５〜３μｍの範囲が好適である。このようにＲａを一定範囲内にすることにより、指紋が付きにくいことや搬送時の剥離性を制御することができる。このような範囲にしたのは、Ｒａが著しく小さいと、換言すれば０．１μｍ未満だと汗ばんだ指で指紋がすぐに付いてしまい、一方、Ｒａがあまりに大きすぎると、換言すれば１０μｍを超えるとヘイズ以外の障害としてマット剤が表面から飛び出す比率が増加し、少々の摩擦等により容易に欠落してしまい画像欠陥が発生し易くなるからである。【０１１１】
近赤外線吸収層の全バインダー量は、好ましくは０．２〜３０ｇ／ｍ2、より好ましくは１．０〜１５ｇ／ｍ2の範囲である。保護層の全バインダー量は、好ましくは０．２〜１０．０ｇ／ｍ2、より好ましくは０．５〜６．０ｇ／ｍ2の範囲である。近赤外線吸収層の反対側の層（裏層）の全バインダー量は、好ましくは０．０１〜１０．０ｇ／ｍ2、より好ましくは０．０５〜５．０ｇ／ｍ2の範囲である。【０１１２】
これらの各層は、２層以上設けられる場合がある。近赤外線吸収層が２層以上である場合は、すべての層のバインダーとしてラテックスを用いることが好ましい。また、保護層は近赤外線吸収層上に設けられる層であり２層以上存在する場合もあるが、少なくとも１層、特に最外層の保護層にラテックスが用いられることが好ましい。また、裏層は支持体裏面の下塗り層の上部に設けられる層であり２層以上存在する場合もあるが、少なくとも１層、特に最外層の裏層にラテックスを用いることが好ましい。【０１１３】
本発明において、それぞれの層には、特開２０００−１９６７８号公報の段落番号［００２３］〜［００４１］に記載の官能基を導入した第一のラテックスとこの第一のラテックスと反応しうる官能基を有する架橋剤及び／または第二のラテックスを用いて形成させることもできる。官能基の具体例としては、カルボキシル基、ヒドロキシル基、イソシアネート基、エポキシ基、Ｎ−メチロール基、オキサゾリニル基、アミノ基、ビニルスルホニル基など、架橋剤としては、エポキシ化合物、イソシアネート化合物、ブロックイソシアネート化合物、メチロ−ル化合物、ヒドロキシ化合物、カルボキシル化合物、アミノ化合物、エチレンイミン化合物、アルデヒド化合物、ハロゲン化合物などから選ばれる。架橋剤の具体例として、イソシアネート化合物：ヘキサメチレンイソシアネート、デュラネートＷＢ４０−８０Ｄ、ＷＸ−１７４１（旭化成工業（株）製）、バイヒジュール３１００（住友バイエルウレタン（株）製）、タケネートＷＤ７２５（武田薬品工業（株）製）、アクアネート１００、２００（日本ポリウレタン（株）製）、特開平９−１６０１７２号公報記載の水分散型ポリイソシアネート、アミノ化合物：スミテックスレジンＭ−３（住友化学工業（株）製）、エポキシ化合物：デナコールＥＸ−６１４Ｂ（ナガセ化成工業（株）製）、ハロゲン化合物：２，４ジクロロ−６−ヒドロキシ−１，３，５−トリアジンナトリウムなどを挙げることができる。【０１１４】
本発明の樹脂の架橋剤としてはエポキシ化合物、イソシアネート化合物、メラミン化合物等の公知の架橋剤が使用できる。またバインダーがゼラチンの場合にはグリオキザル、グルタルアレデヒド等のアルデヒド系、シアヌル酸系、ビニルスルホン系架橋剤を組み合わせて使用できる。架橋剤の添加量は通常バインダーの０．１〜２０質量％、より好ましくは１〜１０質量％程度が好ましい。架橋剤の使用は、膜の強度や層間接着性を高めるために必要であり、最表面の鉛筆硬度は３Ｈ以下、好ましくは２Ｈ以下であることが好ましく、このような硬度が得られるように適宜架橋剤の使用量や使用方法を選択するのが好ましい。【０１１５】
本発明では、水系の塗布液を塗布後乾燥して調製することが好ましい。ただし、ここで言う「水系」とは塗布液の溶媒（分散媒）の６０質量以上が水であることをいう。塗布液の水以外の成分としてはメチルアルコール、エチルアルコール、イソプロピルアルコール、メチルセロソルブ、エチルセロソルブ、ジメチルホルムアミド、酢酸エチル、ジアセトンアルコール、フルフリルアルコール、ベンジルアルコール、ジエチレングリコールモノエチルエーテル、オキシエチルフェニルエーテルなどの水混和性の有機溶媒を用いることができる。【０１１６】
近赤外線吸収層用塗布液および保護層用塗布液を、スライドビードコーターを用いて支持体上に塗布することが好ましい。その際、赤外吸収塗布液および保護層用塗布液の塗布は、スライドビードコーターの塗布幅規制板に沿ってラテックスを含まない液を流しながら行うことが好ましい。また、スライドビードコーターのスライド面上に、少なくとも２種の塗布液とラテックスを含まない液を順に重ねて送液することにより定常流量にし、次いでラテックスを含まない液の送液を停止した後に塗布液を支持体上に塗布することも好ましい。ここでいうラテックスを含まない液の粘度は、塗布液の粘度より低いことが好ましく、また、ラテックスを含まない液の表面張力は、保護層最上層の塗布液の表面張力以下であることが好ましい。【０１１７】
本発明では、支持体上に近赤外線吸収層用塗布液および保護層用塗布液を同時に塗布し、次いで、該塗布直後から恒率乾燥期終了までの時間の１／２以下にわたり、塗布膜面上の風速を０．５ｍ／ｓ〜１０ｍ／ｓにして乾燥することが好ましい。本発明の近赤外線吸収材料は、化学工学における乾燥理論を適用して乾燥する事が好ましい。乾燥するときの湿度の与え方は、適宜選択する必要がある。早い乾燥は、しばしばレチを発生さたり保存性を劣化したりして性能を劣化させるからである。本発明の近赤外線吸収材料は、相対湿度２０％以下で３０℃以上９０℃以下で１０秒から２分以内に乾燥するのが好ましく、更には３５℃以上５０℃以下で３０秒から５０秒以内に乾燥するのが好ましい。特に温度湿度の設定に関しては恒率乾燥と減率乾燥を好ましく制御するのがよい。恒率乾燥は近赤外線吸収材料の表面から水分が蒸発しながら乾燥していくプロセスで、このプロセスの間は表面温度が一定であるので恒率乾燥と呼ばれる。この次のプロセスは、近赤外線吸収材料の内部から水分が蒸発して乾燥していくので湿球温度が、近赤外線吸収材料の表面温度、即ち乾球温度に近づき、最後に同じになるプロセスを減率乾燥と呼ぶ。ゼラチン膜の乾燥は水分がゼラチン質量の３００から４００倍含まれている点が恒率乾燥と減率乾燥の堺になっている。３００倍以下の水分量の乾燥条件は減率乾燥部分の乾燥条件として重要な意味をもっている。この減率乾燥部分を高い温度と低い湿度で乾燥ができるほど生産性は向上するのでこの部分の性能の変動が少ないか、性能が劣化しないのがよい。乾燥中の膜の含水率が乾量基準で７０〜３質量％である領域は、本発明の材料の恒率乾燥の限界含水率が乾量基準で約３００質量％である点から、減率乾燥の後期になる。塗布膜の収縮は７０質量％近辺より初まるので、それ以後の乾燥条件を制限することが望ましい。含水率乾量基準７０〜３質量％の間は乾燥条件によっては表面だけ乾燥して急激且つ不均一な膜の収縮の為塗膜に歪を与えて乾燥レチを生じたり、又、膜内部に湿分が残り付着をおこしたりする。従って７０〜３質量％の含水率の間、乾燥条件として１０℃≦露点≦３３℃，３５％≦関係温度≦８５％，乾球温度３６℃以下の諸条件を満足する条件下で乾燥させるのが好ましい。この範囲内での条件選定はラテックス／ゼラチン，その他乾燥風が塗布膜に当る速度等によって選定されるが、より好ましい範囲としては２５℃≦乾球温度≦３４℃，５５％≦関係温度≦７５％，最高露点≦３３℃の範囲であり、最適条件としては２６℃≦乾球温度≦３０℃，６０％≦関係温度≦７５％である。その意味としては、露点が１０℃以下に落ちると乾燥能率が低下して実用的でない。関係湿度が下る程乾燥が促進され、関係湿度が８５％以上になると乾燥速度が非常に遅くなるばかりでなく、接着故障を生ずる危険性がある。又乾球温度が高くなる程乾燥速度が早くなり３６℃以上になると塗布膜表面が過乾になり、水分も少なくすることができるが、支持体の寸法安定性には好ましくないので７０℃以下に設定するのがよい。又、乾燥速度は乾燥風速が被乾燥物にあたる速度によっても大きく影響されるので、乾燥風速１００ｍ／秒以下で被乾燥物と乾燥風吹出口間の距離は１００ｍｍ以上が望ましい。より好ましい条件としては乾燥風速５０ｍ／秒以下で，距離３０ｍｍ以上である。【０１１８】
生産における塗布、乾燥、裁断、包装工程において、塵や埃の汚れは本発明の材料の品質を損なうので、クリーン度が米国連邦基準２０９ｄクラス１０，０００以下の環境において行うことが好ましい。ここでいう米国連邦基準２０９ｄクラスとは、クリーンルームの規格を示すものであり、米国連邦基準２０９ｄクラス１０，０００以下の環境とは、粒子サイズ０．５μｍ以上の粒子の累積個数が１０，０００個／ｆｔ3以下であり、粒子サイズ５．０μｍ以上の粒子の累積個数が６５個／ｆｔ3以下である環境であるが、塵埃粒子が宇宙空間のように０に近い値が好ましいが、超クリーンな部屋で生産することは、設備費用が掛かるので、適宜そのクリーン度を選択する必要がある。汚れや傷を防止するために、本発明の近赤外線吸収材料に２０〜６０μｍのカバーフィルムを付け、使用するときに剥離して使用することを制限するものではない。この方法は処理しなければならない剥離フィルムが生じるのでできるだけ、剥離フィルムを使用しないことが経済的である。【０１１９】
尚、塗布後に本発明の材料をロールの状態で、１０〜６０℃且つ相対湿度４０〜８０％の環境条件下で少なくとも１日以上シーズニングし、その後製品出荷時において、近赤外線吸収層を外側になる様に巻き返して包装することにより、架橋度を進め、カールを防止することにより、ＰＤＰの前面パネルに貼り易くすることもできるのでシーズニングを適宜選択することができる。例えば、３０℃、相対湿度５０％で３日、３５℃相対湿度４０％２日とか温度と湿度の条件を適宜選択することを制限するものではない。【０１２０】
支持体
本発明では、支持体として、プラスチックフィルム、プラスチック板、ガラスなどを用いることができる。プラスチックフィルム及びプラスチック板の原料としては、例えば、ポリエチレンテレフタレート（ＰＥＴ）、ポリエチレンナフタレート（ＰＥＮ）などのポリエステル類、ポリエチレン（ＰＥ）、ポリプロピレン（ＰＰ）、ポリスチレンなどのビニル系樹脂、ポリカーボネート（ＰＣ）、トリアセチルセルロース（ＴＡＣ）などを用いることができる。【０１２１】
透明性、耐熱性、取り扱いやすさ及び価格の点から、上記プラスチックフィルムはＰＥＴ、ＰＥＮ，ＴＡＣであることが好ましい。【０１２２】
ディスプレイ用の近赤外線吸収材料では透明性が要求されるため、支持体の透明性は高いことが望ましい。この場合におけるプラスチックフィルム又はプラスチック板の全可視光透過率は好ましくは７０〜１００％であり、より好ましくは８０〜１００％であり、さらに好ましくは９０〜１００％である。また、本発明では、色気調節剤として前記プラスチックフィルム及びプラスチック板を本発明の目的を妨げない程度に着色したものを用いることもできる。【０１２３】
塗布液調製のための溶媒
本発明の近赤外線吸収染料の溶媒は、特に限定されるものではないが、例えば、水、有機溶媒（例えば、メタノール、エタノールなどのアルコール類、アセトン、メチルエチルケトン、メチルイソブチルケトンなどのケトン類、ホルムアミドなどのアミド類、ジメチルスルホキシドなどのスルホキシド類、酢酸エチルなどのエステル類、エーテル類等）、イオン性液体、及びこれらの混合溶媒を挙げることができる。溶媒に溶解したもを水中に分散する油滴分散を行うことができる。直径１０ミクロンメートル以下の微小油滴として分散させた分散物を油滴分散物と呼ぶ。水中に分散された微小油滴の直径は光学顕微鏡、またはレーザー光源から発せられる光が微小油滴によって回折散乱されて得られるパータンから測定することができる。実質的に水に不溶の近赤外線吸収染料を微小油滴分散物としてラテックス液中に添加することも好ましく用いられる。近赤外線吸収染料を油滴分散するための有機溶媒としてはいかなるものを用いてもよく、具体的にはベンゼン、トルエン、キシレン、ベンジルアルコール、フェネチルアルコール、ピリジン、フェノキシエタノールクロロホルムなどが挙げられるが、好ましくはベンジルアルコール、フェネチルアルコール、フェノキシエタノールであり、より好ましくはベンジルアルコール、フェノキシエタノールである。近赤外線吸収染料の濃厚溶液を水中に分散させるためには、種々の分散機が有効に用いられる。具体的には、高速攪拌機、アトライター、超音波分散機などが用いられる。近赤外線吸収染料の濃厚溶液の油滴を水中で微細化する際、界面活性剤を用いることもできる。近赤外線吸収染料の濃厚溶液を水に分散する場合の温度は、０℃から１００℃の範囲であり、好ましくは２０℃から８０℃の範囲であり、より好ましくは４０℃から８０℃の範囲である。近赤外線吸収染料の油滴分散物は、耐沈降性を持たせるために水溶性ポリマーと混合して、例えば３０℃以下の温度で長期保存または冷蔵することも可能である。【０１２４】
本発明の近赤外線吸収材料の支持体の厚さは、５〜２００μｍであることが好ましく、３０〜１５０μｍであることがさらに好ましい。５〜２００μｍの範囲であれば所望の可視光の透過率が得られ、かつ取り扱いも容易である。【０１２５】
本発明では、必要に応じて、別途、機能性を有する機能層を設けていてもよい。この機能層は、用途ごとに種々の仕様とすることができる。例えば、ディスプレイ用電磁波遮蔽材用途としては、屈折率や膜厚を調整した反射防止機能を付与した反射防止層や、ノングレアー層またはアンチグレアー層（共にぎらつき防止機能を有する）特定の波長域の可視光を吸収する色調調節機能をもった層、指紋などの汚れを除去しやすい機能を有した防汚層、傷のつき難いハードコート層、衝撃吸収機能を有する層、ガラス破損時のガラス飛散防止機能を有する層などを設けることができる。【０１２６】
これらの機能性膜はＰＤＰに直接貼合してもよく、プラズマディスプレイパネル本体とは別に、ガラス板やアクリル樹脂板などの透明基板に貼合してもよい。これらの機能性膜を光学フィルター（または単にフィルター）と呼ぶことができる。【０１２７】
反射防止機能を付与した反射防止層は、外光の反射を抑えてコントラストの低下を抑えるために、金属酸化物、フッ化物、ケイ化物、ホウ化物、炭化物、窒化物、硫化物等の無機物を、真空蒸着法、スパッタリング法、イオンプレーティング法、イオンビームアシスト法等で単層あるいは多層に積層させる方法、アクリル樹脂、フッ素樹脂等の屈折率の異なる樹脂を単層あるいは多層に積層させる方法等がある。また、反射防止処理を施したフィルムを該フィルター上に張り付けることもできる。また、ノングレア処理またはアンチグレア処理をしたフィルムを該フィルター上に張り付けることもできる。更に必要で有ればハードコート層を設けることもできる。【０１２８】
特定の波長域の可視光を吸収する色調調節機能をもった層は、ＰＤＰが青色を発光する蛍光体が青色以外に僅かであるが赤色を発光する特性を有しているため、青色に表示されるべき部分が紫がかった色で表示されるという問題があり、この対策として発色光の補正を行う層であり、５９５ｎｍ付近の光を吸収する染料を含有する。このような特定波長を吸収する染料としては、具体的には例えば、アゾ系、縮合アゾ系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系などの周知の有機顔料および有機染料、無機顔料が挙げられる。これらの中でも、耐候性が良好であることから、フタロシアニン系、アンスラキノン系染料が特に好ましい。【０１２９】
本発明の近赤外線吸収材料をＰＤＰに貼るに際しての粘着剤としては透明性の高いものがよい。例えば、酢酸ビニル系、エポキシ系、ウレタン系、エチレン−酢酸ビニル系、ウレタン−アクリレート系、エポキシ−アクリレート系等が好ましい。中でも透明性、及び無色系のエポキシ−アクリレート、エチレン−酢酸ビニル系がより好ましい。本発明における透明性フィルムに反射防止効果を持たせるには、シリカ微粉末、酸化スズ、酸化チタンの微粉末をアクリル樹脂、スチレン樹脂、ポリエステル樹脂等をトルエン等芳香族炭化水素、グリコールエーテル系、プロピレングリコール系のエステル系有機溶剤に溶解した透明性印刷インキに添加した溶液を透明性フィルムに塗布しても良い。これら微粉末の平均粒径としては、０．０１〜１０μｍが好ましく、更に好ましくはこれら粒径が違うものを複数種混ぜることである。これは、透明性フィルム表面に凹凸形状を持たせることで反射光を乱反射させることにより視感の反射率を低減させることである。次に、薄層を透明性フィルムに設け、薄層の界面における光の反射と屈折の効果を利用する方法がある。すなわち、該薄層の厚みがλ／４（λ：光の波長）の場合には、薄層の上面反射光と下面反射光との光の位相が干渉によって打ち消し合う様にずれ、その反射光を合成すると光の強度が低下すること、及び薄層材の屈折率をｎｆとし、該薄層を形成するための透明性フィルムの屈折率をｎｂとしたときにｎｆとｎｂの１／２乗値が等しいとき、光の反射が最も低くなる原理を応用する。従って、薄層の厚みは反射を防ぎたい光の波長の１／４が目標となる。すなわち好ましくは薄層の厚みは０．０５〜０．２５μｍである。また、透明性フィルムと薄層１の間にさらに薄層２を設けた場合、薄層２の屈折率が関係し、薄層２の屈折率をｎｂに用いて上記の計算方法で反射を防止することが出来る。また、一般的にはそれを完全に満足する組み合わせは、得られないが、薄層材の屈折率は透明性フィルムの屈折率よりも極力低いことが必要で、屈折率が１．２８〜１．４５のフッ素系樹脂を用いるのが好ましい。透明性フィルムがポリエチレンテレフタレートの場合は屈折率が１．６４なので適当な例として上げることが出来る。また、三酢酸セルロースの透明性フィルムの場合は屈折率が１．５０なので薄層としてフッ素系樹脂を用いる場合には、透明性フィルムと薄層の間に屈折率が１．５９のジアリルフタレート樹脂層を設けたり、屈折率が２．００の酸化錫の層を設けたり、酸化錫と屈折率が１．４９のアクリル樹脂を混合して屈折率を１．５９に調整した層を設けるのも好ましい。【０１３０】
透明性フィルムに帯電防止性能を持たせるには、界面活性剤を塗布もしくはコーティングして設けるのがよい。透明性フィルムに酸化スズ、酸化チタン、ＩＴＯ等の透明性導電性物質を印刷インキに添加して塗布しても良いし、スパッタリング等で薄層にして設けるのも良い。必要に応じ、先に述べた透明性フィルムに透明性導電剤の層を設けたり、酸化スズの印刷インキを塗布したりした後、フッ素系樹脂を設けることで、帯電防止性能と反射防止性能の両方の性能を設けることもでき、更に好ましい。帯電防止性能付与のために表面の導電性が重要で、表面抵抗が１０6Ω〜１０12Ω／□が好ましい。
【実施例】
【０１３１】
以下に本発明の実施例を挙げて本発明をさらに具体的に説明する。なお、以下の実施例に示される材料、使用量、割合、処理内容、処理手順等は、本発明の趣旨を逸脱しない限り適宜変更することができる。したがって、本発明の範囲は以下に示す具体例により限定的に解釈されるべきものではない。【０１３２】
実施例１
水分散性熱可塑性樹脂分散液の調製
アクリル樹脂水分散液（記号ＡＬ）
０．５Ｌの三つ口フラスコに脱イオン水３００ｇ、メタクリル酸メチル（ＭＭＡ）２５ｇ、スチレン２５ｇ、アクリル酸エチル（ＥＡ）４５ｇ、ヒドロキシエチルメタクリレート（ＨＥＭＡ）５ｇ、過硫酸アンモニウム２５０ｍｇを加え、窒素でバブリングさせながら１００℃で３時間攪拌をした。反応終了後１００ｍｇのハイドロキノンを添加して熱可塑性樹脂水分散液とした。【０１３３】
スチレン−ブタジエン樹脂水分散液（記号ＳＢ）
上記と同様に重合したがここでは０．５Ｌの三口フラスコに脱イオン水３００ｇ、ブタジエン４８ｇ、スチレン４０ｇ、イタコン酸１２ｇ、アクリル酸２ｇ、アニオン性乳化剤１ｇ、過硫酸カリウム６ｇを添加し、２５℃で３０分間撹拌し、次にこの混合物を６０℃に加熱し、２ｇの重亜硫酸ナトリウムを加え３時間重合させた。【０１３４】
スチレンーイソプレン樹脂水分散液（記号ＳＩ）
上記と同様に重合したが、ここでは１Ｌの三口フラスコに脱イオン水３００ｇ、イソプレン４０ｇ、スチレン４８ｇ、イタコン酸１２ｇ、アクリル酸２ｇ、アニオン性乳化剤１ｇ、過硫酸カリウム６ｇを添加し、２５℃で３０分間撹拌し、次にこの混合物を６０℃に加熱し、２ｇの重亜硫酸ナトリウムを加え３時間重合させた。【０１３５】
ポリビニルブチラール樹脂水分散液（記号ＶＢ）
容積１Ｌステンレス製のフラスコに、重合度１５００、ケン化度９９．５モル％のポリビニルアルコール粒子８０ｇと純水３００ｇを仕込み、分散液を９５℃まで昇温し、溶解後７５℃まで冷却した。同水溶液に１０質量％の塩酸を３ｇ、ブチルアルデヒドを２０ｇ添加し反応を進めた。反応中はアルデヒドの系外への揮発・流出を防止するために還流を行なった。追加触媒として１０％濃度の塩酸を９０ｇ添加し、温度を８２℃で４時間保った。反応終了後、４０℃まで液を冷却し、常温で重曹で中和し、生成樹脂を水洗し乾燥した。この樹脂１００ｇを３００ｇのイソプロパノール１５％水溶液に分散させた。【０１３６】
酢酸ビニル樹脂水分散液（記号ＶＡ）
容積１Ｌステンレス製のフラスコに水３００ｇ、酢酸ビニル１００ｇ、アニオン性乳化剤１ｇを仕込み、この分散液を８５まで加熱し、３０分後に過硫酸カリウムを３ｇ添加し、８５℃で３時間乳化重合を行った。【０１３７】
ウレタン樹脂水分散液（記号ＵＮ）
１Ｌ反応容器に、数平均分子量２０００のポリテトラメチレンエーテルグリコール７０ｇを仕込み、窒素気流下１００℃にて１時間かけ、８５℃まで冷却した後、イソホロンジイソシアネート３２ｇを仕込み、８５℃にて３時間反応を行い、ウレタンポリマー１０２ｇを得た。ウレタンポリマーのイソプロピルアルコール溶液とした。ついで４０℃にて水３００ｇを撹拌下に加え、分散後、ポリウレタン樹脂の水分散液を得た。【０１３８】
近赤外線吸収材料の作製
支持体とする厚さ１７５μｍの透明な２軸延伸ポリエチレンテレフタレートフィルムの両面を１００Ｗ／ｍ2・分コロナ処理した後、両面に屈折率１．５５、２５℃における弾性率１００ＭＰａ、ガラス転移温度３７℃のスチレン−ブタジエンコポリマーからなるラテックス（日本ゼオン（株）製、ＬＸ４０７Ｃ５）を３００ｎｍの厚さに塗布し、下塗り層を形成した。この下塗り層の上には屈折率１．５０、２５℃における弾性率１２０ＭＰａ、ガラス転移温度５０℃のアクリル系ラテックス（ＨＡ１６、日本アクリル（株）製）を乾燥後の厚さ８０ｎｍとなるように塗布し、第２下塗り層を形成した。下塗り第２層中には、帯電防止剤として、インジウムを３％ドープした酸化錫の微粒子（１２ｎｍ）、ガリウムを４％ドープした酸化亜鉛の微粒子（１５ｎｍ）をそれぞれ３０ｍｇ／ｍ2含有させ帯電防止機能を付与させた。更に第２の下塗り層の上に近赤外線吸収染料（種類は表１に示す）（付き量：１×１０-4モル／ｍ2）及び紫外線吸収剤（種類は表１に示す）（付き量：１×１０-4モル／ｍ2）、水分散性熱可塑性樹脂分散液（種類は表１に示す）（３ｇ／ｍ2）、ゼラチン（１  ｇ／ｍ2）及びトリクレジル燐酸エステルを含む下記に示す近赤外線吸収層塗布液を下記に示すゼラチン保護膜層と同時重層塗布乾燥し、近赤外線吸収材料の近赤外線吸収層面を作製した。【０１３９】
近赤外線吸収層の塗布液としては、有機溶媒はイソプロピルアルコールを５質量％濃度になるように、また樹脂の固形分濃度は２０％となるように調整した。全バインダーはラテックス中の樹脂（Ｊ）、ゼラチン（Ｇ）、トリクレジル燐酸エステル（Ｌ）の量の合計であり、（Ｓ＝Ｊ／（Ｊ＋Ｇ＋Ｌ））×１００を変化させた。【０１４０】
近赤外線吸収層の塗布液は、フッ素界面活性剤としてジパーフロロヘキシルスルホ琥珀酸エステルを塗布液中に添加して表面張力が３６０±２０μＮ／ｃｍとなるように調整した。【０１４１】
近赤外線吸収染料の分散は溶解分散（クロロホルムに溶解）又は固体分散を行い、固体分散は、伊藤製作製の遊星ボールミル（部分安定化ジルコニア製）で分散した。容器２００ｍｌ中に１００ｍｌの水、１０ｇの近赤外線吸収染料、ビーズ（２ｍｍ径）を３０ｍｌで室温下稼動させ、平均粒子径としてボールミルの積算分散回数を変化させて（１００時間から２００時間）所望の平均粒子径を得た。燐酸エステル−ゼラチン分散は、５０ｍｌのゼラチン水溶液中（４質量％）に４ｇのトリクレジル燐酸エステル、５０ｍｌの酢酸エチル、界面活性剤（ラウリルアルコールと重合度１０のポリエチレングリコールの縮合物）を０．２ｇ添加し、超音波分散した。粒子径の測定はコールター社のコールターカウンターマルチサイザーII型を使用した。微粒子化された粒子を上述に水分散性熱可塑性樹脂又は燐酸エステルーゼラチン分散液に分散して使用した。【０１４２】
塗布液中に添加する架橋剤は、ゼラチングラム当たり、それぞれ０．１ミリモルのグリオキザル、ビス−１，３−（ビニルスルホン）−２−ヒドロキシプロパン、エピクロルヒドリンとビスフェノールＡの縮合物、ジエチルアミノエチルトリエトキシシラン及び２，４ジクロロ−６−ヒドロキシ−１，３，５−トリアジンナトリウムを加えた。滑り剤としては、カルバナウワックス、ベヘン酸アミド、ベヘン酸ラウリルエステルを全バインダ量に対してそれぞれ０．３％添加した。塗布液のｐＨは５．６に酢酸と水酸化ナトリウムで調整した。【０１４３】
近赤外線吸収層の保護層は、アルカリ処理ゼラチンの１０％水溶液１Ｌににフッ素活性剤のジパーフロロヘキシルスルホ琥珀酸エステルを１ｇ添加（表面張力を３１ｄｙｎ／ｃｍ）とし、マット剤として、平均粒子径３μｍ及び５μのポリメタクリル酸メチルをそれぞれ２ｇ及び１ｇ、滑り剤としてベヘン酸ラウリルエステルを１ｇ、スチレン／メタクリル酸メチル／アクリル酸エチル／アクリル酸ブチル／アクリル酸／アクリルアミドメチルプロピルスルホネート（モノマー比２５：２５：２０：２０：３）共重合体の水分散液（固形分濃度３０質量％）を２００ｍｌ、紫外線吸収剤として、６−（２−ベンゾトリアゾリル）−４−ｔ−オクチル−６’−ｔ−ブチル−４’−メチルー２，２’−メチレンビスフェノールを３ｇ、架橋剤として１，３−ビス（ビニルスルホンアミド）−２−ヒドロキシプロパンをゼラチン１ｇ当たり２ミリモル添加し、ゼラチンの付き量が０．６ｇ／ｍ2となるように塗布した。【０１４４】
塗布はスライドコーターで近赤外線吸収層及びその保護層を塗布速度２００ｍ／分の同時重層塗布を行い、乾燥は減率乾燥域までを２分以内にとした。塗布直後から恒率乾燥期終了までの時間の１／２以下にわたり、塗布膜面上の風速を２ｍ／ｓとした。塗布液のろ過はミリポア社のろ過フィルター３μｍ、１０μｍ、３０μｍを直列連結した３段ろ過を行った。尚、サンプルの塗布、乾燥、裁断、包装はクリーン度が米国連邦基準２０９ｄクラス１０，０００以下の環境において行った。【０１４５】
支持体に対して近赤外線吸収層の反対側に反射防止膜、ハードコート膜を塗布した。これらの機能性膜の塗布は、試料番号１０３を作製した後以下の処方で塗布した。反射防止膜及びハードコート膜は、反対側の近赤外線吸収の性能を損なうものではなかった。【０１４６】
ハードコート膜
紫外線硬化型アクリル樹脂（アロニックスＵＶ−３７００：東亜合成化学社）２５．０質量部、インジウムをドーピングした酸化スズ（粒子径：０．２〜２．０μｍ）８．０質量部、メチルエチルケトン２４．０質量部及びトルエン３３．０質量部からなるハードコート層用塗料をメイヤーバーにて塗布し、高圧水銀灯により紫外線を１〜２秒照射して、ハードコートフィルムを得た。【０１４７】
反射防止膜
高屈折率ハードコート層上に、更に前記低屈折率層用塗工液を、乾燥後の膜厚が１００μｍになるように塗工し、１２０℃で１時間の熱処理を行い、本発明の近赤外線吸収材料１００〜１２２を得た（低屈折率層の屈折率＝１．４２）。得られた近赤外線吸収材料の全光線透過率は９４．０％、ヘイズ値０．５、可視光線の波長領域での最低反射率は０．５であり、反射防止性に優れていた。【０１４８】
塗布された試料は強制劣化試験を行う前に温度２５℃、相対湿度４２％の部屋に３日放置し、アルミ箔とカーボンブラック入りのポリエチレンシート４０μｍ厚からなる密封袋に封入した。この袋の水分透過率は０．０１ｇ／ｍ2・ｄａｙ未満、酸素透過率は０．０１ｍｌ／ｍ2・ｄａｙ未満であった。尚、水分透過率はＪＩＳＫ７１２９−１９９２法に準拠した方法（主としてＭＯＣＯＮ法）により測定できる。酸素透過率はＪＩＳ  Ｋ７１２６−１９８７法に準拠した方法（主としてＭＯＣＯＮ法）により測定できる。得られた保護層のある最表面のステンレスに対する動摩擦係数は０．２〜０．４の範囲内であった（オリエンテック（株）製動摩擦係数測定機で測定）。また、表面抵抗は１０8〜１０10Ω／□の範囲内であった（表面抵抗測定法は、ＪＩＳ−Ｃ−６４８１に従って行い、印加電圧は１００Ｖで測定）。保護層のある表面の硬度は、架橋剤により、鉛筆硬度２Ｈ〜３Ｈの範囲にあった。「鉛筆硬度」は、ＪＩＳ−Ｋ５４００における鉛筆引っかき試験に準じ、ヘイドン−１４（新東科学社）を使用して測定した。保護層のある最表面の「Ｒａ」は、ＪＩＳ−Ｂ０６０１における表面粗さ測定に準じ、サーフィコーダーＳＥ−３Ｃ（小坂研究所社）を使用して測定した結果、２〜３μｍの範囲であった。【０１４９】
平衡含水率の評価
近赤外線吸収層に用いたバインダーの塗布溶液（または分散液）をガラス板上に塗布して５０℃で１時間乾燥し、厚さ１００μｍの樹脂薄膜を作製した。その後、樹脂薄膜をガラス板から剥離し、２５℃５０％ＲＨの条件下で３日放置し京都電子工業社製のカールフィッシャー水分計ＭＫＣ−５１０で水分量Ｗ1を測定した。ついで樹脂薄膜を真空中に３日放置し、同様に水分計で水分量Ｗ0を測定した。Ｗ0，Ｗ1を用い、以下の式で含水率を求めた。平衡含水率＝｛（Ｗ1−Ｗ0）／Ｗ0｝×１００（％）
経時劣化の評価
温度７０℃相対湿度９０％の条件下２００時間放置し、４００〜７５０ｎｍの可視部の平均透過率吸収、８００〜１０００ｎｍの近赤外部の平均吸収割合％で表示した。作製試料の内容及び評価した性能結果を表１に示す。耐光性劣化試験はスガ試験機株式会社製スーパーキセノンウエザーメーターＳＸ７５を使用し、相対湿度５０％、照射強度５０Ｗ／平米、１００時間試験後の吸収劣化の割合を評価した。【０１５０】
【表１】
2007029508.tif 000014
【０１５１】
以上説明したとおり、本発明の近赤外線吸収材料であれば、高い可視透過率と高い近赤外吸収性能を同時に満たし、且つ、高湿下保存しても近赤外吸収劣化の少ない、しかも耐光性劣化の少ない近赤外線吸収材料を得ることができる。
【産業上の利用可能性】
【０１５２】
本発明により、高い近赤外線吸収性能を得て、生産性も高く保存性もよい近赤外線吸収材料の製造方法を提供することができた。
【国際調査報告】
2007029508.tif 000015
2007029508.tif 000016
2007029508.tif 000017
2007029508.tif 000018